(57)【要約】  ユーザ機器（ＵＥ）が、第１のコードワードを含む第１の同期信号（ＳＳ）ブロックと、第２のコードワードを含む第２のＳＳブロックとを受信する。各コードワードは、物理ブロードキャストチャネル（ＰＢＣＨ）ペイロードの線形符号化に少なくとも部分的に基づく。ＰＢＣＨペイロードは異なるタイミングインジケータを含む。ＳＳブロックは、時間増分だけ分離された異なる時間に受信される。ＵＥは、時間増分に少なくとも部分的に基づいて、第１のコードワードおよび第２のコードワードのための組み合わせられた復号メトリックの１つまたは複数の仮説を決定し、１つまたは複数の仮説における少なくとも１つの仮説の各々に基づいて第１のコードワードを復号する。少なくとも１つの仮説は正しい仮説を含み、ＵＥは、正しい仮説に少なくとも部分的に基づいて第１のコードワードを復号するときに実行されるＣＲＣ検証などの誤り検出プロシージャに少なくとも部分的に基づいて第１のコードワードを決定する。
2020512752.tif 000002
【特許請求の範囲】
【請求項１】
ユーザ機器（ＵＥ）におけるワイヤレス通信のための方法であって、
第１の同期信号（ＳＳ）ブロック中で、第１の物理ブロードキャストチャネル（ＰＢＣＨ）ペイロードの線形符号化に少なくとも部分的に基づいて第１のコードワードを受信することと、前記第１のＰＢＣＨペイロードが、前記第１のＳＳブロックのための第１のタイミングインジケータを含む、
時間増分だけ前記第１のＳＳブロックから時間的に分離された第２のＳＳブロック中で、第２のＰＢＣＨペイロードの線形符号化に少なくとも部分的に基づいて第２のコードワードを受信することと、前記第２のＰＢＣＨペイロードが、前記第２のＳＳブロックのための第２のタイミングインジケータを含み、前記第２のタイミングインジケータが、前記第１のタイミングインジケータと前記時間増分とに少なくとも部分的に基づく、
前記時間増分に少なくとも部分的に基づいて、前記第１のコードワードおよび前記第２のコードワードのための組み合わせられた復号メトリックの１つまたは複数の仮説を決定することと、
前記１つまたは複数の仮説における少なくとも１つの仮説の各々に基づいて前記第１のコードワードを復号することと、前記少なくとも１つの仮説が正しい仮説を含む、
前記正しい仮説に少なくとも部分的に基づいて前記第１のコードワードを復号するときに実行される巡回冗長検査（ＣＲＣ）検証に少なくとも部分的に基づいて前記第１のコードワードを決定することと
を備える、方法。
【請求項２】
前記１つまたは複数の仮説を決定することが、
前記時間増分に少なくとも部分的に基づいて、前記第１のタイミングインジケータと前記第２のタイミングインジケータとの間のビット差分についての第１の中間の１つまたは複数の仮説を決定することと、
前記第１の中間の１つまたは複数の仮説に少なくとも部分的に基づいて、前記第１のコードワードおよび前記第２のコードワードのための組み合わせられた復号メトリックの前記１つまたは複数の仮説を決定することと
を備える、請求項１に記載の方法。
【請求項３】
前記第１の中間の１つまたは複数の仮説に少なくとも部分的に基づいて、前記第１のコードワードおよび前記第２のコードワードのための組み合わせられた復号メトリックの前記１つまたは複数の仮説を決定することが、
前記第１の中間の１つまたは複数の仮説に少なくとも部分的に基づいて、前記第１のコードワードと前記第２のコードワードとの間の符号化ビット差分についての第２の中間の１つまたは複数の仮説を決定することと、
前記第２の中間の１つまたは複数の仮説のうちの少なくとも１つに少なくとも部分的に基づいて前記第２のコードワードのための復号メトリックの第２のセットを補正することと、
前記第１のコードワードおよび前記第２のコードワードのための組み合わせられた復号メトリックの前記１つまたは複数の仮説を決定するために、復号メトリックの各補正された第２のセットを、前記第１のコードワードのための復号メトリックの第１のセットと組み合わせることと
を備える、請求項２に記載の方法。
【請求項４】
前記組み合わせられた復号メトリックが対数尤度比（ＬＬＲ）を備える、請求項１に記載の方法。
【請求項５】
前記第１のタイミングインジケータが、前記第１のＳＳブロックのための、第１のＳＳブロックインデックス、または前記第１のＳＳブロックインデックスの一部分を備え、前記第２のタイミングインジケータが、前記第２のＳＳブロックのための、第２のＳＳブロックインデックス、または前記第２のＳＳブロックインデックスの一部分を備える、請求項１に記載の方法。
【請求項６】
前記第１のＳＳブロックインデックスに少なくとも部分的に基づいて、ブロードキャストチャネル送信時間間隔（ＢＣＨ  ＴＴＩ）内の前記第１のＳＳブロックの第１のタイミングを決定すること
をさらに備える、請求項５に記載の方法。
【請求項７】
前記第１のＳＳブロックインデックスに少なくとも部分的に基づいて、前記第１のＳＳブロックが送信されるビームを識別すること
をさらに備える、請求項５に記載の方法。
【請求項８】
前記第１のコードワードが、第１の線形符号化に少なくとも部分的に基づいて符号化される前記第１のＰＢＣＨペイロードを備え、前記符号化された第１のＰＢＣＨペイロードのための第１の巡回冗長検査（ＣＲＣ）と、前記符号化された第１のＰＢＣＨペイロードとが、第２の線形符号化に少なくとも部分的に基づいて符号化され、
前記第２のコードワードが、前記第１の線形符号化に少なくとも部分的に基づいて符号化される前記第２のＰＢＣＨペイロードを備え、前記符号化された第２のＰＢＣＨペイロードのための、第２のＣＲＣと、前記符号化された第２のＰＢＣＨペイロードとが、前記第２の線形符号化に少なくとも部分的に基づいて符号化される、
請求項１に記載の方法。
【請求項９】
前記第１のコードワードが前記第２のコードワードの前に受信される、請求項１に記載の方法。
【請求項１０】
前記第２のコードワードが前記第１のコードワードの前に受信される、請求項１に記載の方法。
【請求項１１】
前記第１のタイミングインジケータおよび前記第２のタイミングインジケータが各々同じビット数を備える、請求項１に記載の方法。
【請求項１２】
前記第１のタイミングインジケータと前記第２のタイミングインジケータとが、タイミングインジケータの所定のセットからのものである、請求項１に記載の方法。
【請求項１３】
前記時間増分がＳＳブロックの数を備える、請求項１に記載の方法。
【請求項１４】
前記第１のＰＢＣＨペイロードおよび前記第２のＰＢＣＨペイロードが各々同じマスタ情報ブロック（ＭＩＢ）を含む、請求項１に記載の方法。
【請求項１５】
前記第１のＳＳブロックと前記第２のＳＳブロックとがブロードキャストチャネル送信時間間隔（ＢＣＨ  ＴＴＩ）内に受信される、請求項１に記載の方法。
【請求項１６】
前記第１のＳＳブロックと前記第２のＳＳブロックとが異なるブロードキャストチャネル送信時間間隔（ＢＣＨ  ＴＴＩ）内に受信される、請求項１に記載の方法。
【請求項１７】
前記第１のＳＳブロックおよび前記第２のＳＳブロックが各々、１次同期信号（ＰＳＳ）、２次同期信号（ＳＳＳ）、またはそれらの組合せを備える、請求項１に記載の方法。
【請求項１８】
ユーザ機器（ＵＥ）におけるワイヤレス通信のための装置であって、前記装置は、
第１の同期信号（ＳＳ）ブロック中で、第１の物理ブロードキャストチャネル（ＰＢＣＨ）ペイロードの線形符号化に少なくとも部分的に基づいて第１のコードワードを受信するための手段と、前記第１のＰＢＣＨペイロードが、前記第１のＳＳブロックのための第１のタイミングインジケータを含む、
時間増分だけ前記第１のＳＳブロックから時間的に分離された第２のＳＳブロック中で、第２のＰＢＣＨペイロードの線形符号化に少なくとも部分的に基づいて第２のコードワードを受信するための手段と、前記第２のＰＢＣＨペイロードが、前記第２のＳＳブロックのための第２のタイミングインジケータを含み、前記第２のタイミングインジケータが、前記第１のタイミングインジケータと前記時間増分とに少なくとも部分的に基づく、
前記時間増分に少なくとも部分的に基づいて、前記第１のコードワードおよび前記第２のコードワードのための組み合わせられた復号メトリックの１つまたは複数の仮説を決定するための手段と、
前記１つまたは複数の仮説における少なくとも１つの仮説の各々に基づいて前記第１のコードワードを復号するための手段と、前記少なくとも１つの仮説が正しい仮説を含む、
前記正しい仮説に少なくとも部分的に基づいて前記第１のコードワードを復号するときに実行される巡回冗長検査（ＣＲＣ）検証に少なくとも部分的に基づいて前記第１のコードワードを決定するための手段と
を備える装置。
【請求項１９】
前記１つまたは複数の仮説を決定するための前記手段が、
前記時間増分に少なくとも部分的に基づいて、前記第１のタイミングインジケータと前記第２のタイミングインジケータとの間のビット差分についての第１の中間の１つまたは複数の仮説を決定するための手段と、
前記第１の中間の１つまたは複数の仮説に少なくとも部分的に基づいて、前記第１のコードワードおよび前記第２のコードワードのための組み合わせられた復号メトリックの前記１つまたは複数の仮説を決定するための手段と
をさらに備える、請求項１８に記載の装置。
【請求項２０】
前記第１の中間の１つまたは複数の仮説に少なくとも部分的に基づいて、前記第１のコードワードおよび前記第２のコードワードのための組み合わせられた復号メトリックの前記１つまたは複数の仮説を決定するための前記手段が、
前記第１の中間の１つまたは複数の仮説に少なくとも部分的に基づいて、前記第１のコードワードと前記第２のコードワードとの間の符号化ビット差分についての第２の中間の１つまたは複数の仮説を決定するための手段と、
前記第２の中間の１つまたは複数の仮説のうちの少なくとも１つに少なくとも部分的に基づいて前記第２のコードワードのための復号メトリックの第２のセットを補正するための手段と、
前記第１のコードワードおよび前記第２のコードワードのための組み合わせられた復号メトリックの前記１つまたは複数の仮説を決定するために、復号メトリックの各補正された第２のセットを、前記第１のコードワードのための復号メトリックの第１のセットと組み合わせるための手段と
をさらに備える、請求項１９に記載の装置。
【請求項２１】
前記組み合わせられた復号メトリックが対数尤度比（ＬＬＲ）を備える、請求項１８に記載の装置。
【請求項２２】
前記第１のタイミングインジケータが、前記第１のＳＳブロックのための、第１のＳＳブロックインデックス、または前記第１のＳＳブロックインデックスの一部分を備え、前記第２のタイミングインジケータが、前記第２のＳＳブロックのための、第２のＳＳブロックインデックス、または前記第２のＳＳブロックインデックスの一部分を備える、請求項１８に記載の装置。
【請求項２３】
前記第１のＳＳブロックインデックスに少なくとも部分的に基づいて、ブロードキャストチャネル送信時間間隔（ＢＣＨ  ＴＴＩ）内の前記第１のＳＳブロックの第１のタイミングを決定するための手段
をさらに備える、請求項２２に記載の装置。
【請求項２４】
前記第１のＳＳブロックインデックスに少なくとも部分的に基づいて、前記第１のＳＳブロックが送信されるビームを識別するための手段
をさらに備える、請求項２２に記載の装置。
【請求項２５】
前記第１のコードワードが、第１の線形符号化に少なくとも部分的に基づいて符号化される前記第１のＰＢＣＨペイロードを備え、前記符号化された第１のＰＢＣＨペイロードと、前記符号化された第１のＰＢＣＨペイロードのための第１の巡回冗長検査（ＣＲＣ）とが、第２の線形符号化に少なくとも部分的に基づいて符号化され、
前記第２のコードワードが、前記第１の線形符号化に少なくとも部分的に基づいて符号化される前記第２のＰＢＣＨペイロードを備え、前記符号化された第２のＰＢＣＨペイロードと、前記符号化された第２のＰＢＣＨペイロードのための第２のＣＲＣとが、前記第２の線形符号化に少なくとも部分的に基づいて符号化される、
請求項１８に記載の装置。
【請求項２６】
前記第１のコードワードが前記第２のコードワードの前に受信される、請求項１８に記載の装置。
【請求項２７】
前記第２のコードワードが前記第１のコードワードの前に受信される、請求項１８に記載の装置。
【請求項２８】
前記第１のタイミングインジケータおよび前記第２のタイミングインジケータが各々同じビット数を備える、請求項１８に記載の装置。
【請求項２９】
前記第１のタイミングインジケータと前記第２のタイミングインジケータとが、タイミングインジケータの所定のセットからのものである、請求項１８に記載の装置。
【請求項３０】
前記時間増分がＳＳブロックの数を備える、請求項１８に記載の装置。
【請求項３１】
前記第１のＰＢＣＨペイロードおよび前記第２のＰＢＣＨペイロードが各々同じマスタ情報ブロック（ＭＩＢ）を含む、請求項１８に記載の装置。
【請求項３２】
前記第１のＳＳブロックと前記第２のＳＳブロックとがブロードキャストチャネル送信時間間隔（ＢＣＨ  ＴＴＩ）内に受信される、請求項１８に記載の装置。
【請求項３３】
前記第１のＳＳブロックと前記第２のＳＳブロックとが異なるブロードキャストチャネル送信時間間隔（ＢＣＨ  ＴＴＩ）内に受信される、請求項１８に記載の装置。
【請求項３４】
前記第１のＳＳブロックおよび前記第２のＳＳブロックが各々、１次同期信号（ＰＳＳ）、２次同期信号（ＳＳＳ）、またはそれらの組合せを備える、請求項１８に記載の装置。
【請求項３５】
基地局におけるワイヤレス通信のための方法であって、
複数の同期信号（ＳＳ）ブロックのためにリソースを割り振ることと、
時間ギャップだけ第２のＳＳブロックバーストから時間的に分離された第１のＳＳブロックバーストの第１のＳＳブロック中で、第１の物理ブロードキャストチャネル（ＰＢＣＨ）ペイロードの線形符号化に少なくとも部分的に基づいて第１のコードワードを送信することと、前記第１のＰＢＣＨペイロードが、前記第１のＳＳブロックのための第１のタイミングインジケータを含む、
時間増分を含むブロック間持続時間だけ前記第１のＳＳブロックから時間的に分離された第２のＳＳブロック中で、第２のＰＢＣＨペイロードの線形符号化に少なくとも部分的に基づいて第２のコードワードを送信することと、前記第２のＰＢＣＨペイロードが、前記第２のＳＳブロックのための第２のタイミングインジケータを含み、前記第２のタイミングインジケータが、前記第１のタイミングインジケータと前記時間増分とに少なくとも部分的に基づく、
を備える、方法。
【請求項３６】
前記第２のＳＳブロックが前記第１のＳＳブロックバーストにおいて送信され、前記ブロック間持続時間が前記時間増分に等しい、請求項３５に記載の方法。
【請求項３７】
前記第２のＳＳブロックが前記第２のＳＳブロックバーストにおいて送信され、ここにおいて、前記ブロック間持続時間が前記時間ギャップを含む、請求項３５に記載の方法。
【請求項３８】
第３のＳＳブロック中で、第３のＰＢＣＨペイロードの線形符号化に少なくとも部分的に基づいて第３のコードワードを送信することをさらに備え、ここにおいて、前記第３のＳＳブロックが、前記ブロック間持続時間だけ他のＳＳブロックから時間的に分離されない、
請求項３５に記載の方法。
【請求項３９】
前記第１のタイミングインジケータが、前記第１のＳＳブロックのための、第１のＳＳブロックインデックス、または前記第１のＳＳブロックインデックスの一部分を備え、前記第２のタイミングインジケータが、前記第２のＳＳブロックのための、第２のＳＳブロックインデックス、または前記第２のＳＳブロックインデックスの一部分を備える、請求項３５に記載の方法。
【請求項４０】
前記第１のＳＳブロックインデックスが、ブロードキャストチャネル送信時間間隔（ＢＣＨ  ＴＴＩ）内の前記第１のＳＳブロックの第１のタイミングを識別し、前記第２のＳＳブロックインデックスが、前記ＢＣＨ  ＴＴＩ内の前記第２のＳＳブロックの第２のタイミングを識別する、請求項３９に記載の方法。
【請求項４１】
前記第１のＳＳブロックインデックスは、前記第１のＳＳブロックが送信される第１のビームを識別し、前記第２のＳＳブロックインデックスは、前記第２のＳＳブロックが送信される第２のビームを識別する、請求項３９に記載の方法。
【請求項４２】
第１の線形符号化に少なくとも部分的に基づいて前記第１のＰＢＣＨペイロードを符号化することと、
前記符号化された第１のＰＢＣＨペイロードのための第１の巡回冗長検査（ＣＲＣ）を決定することと、
第２の線形符号化に少なくとも部分的に基づいて、前記符号化された第１のＰＢＣＨペイロードと前記第１のＣＲＣとを符号化することによって、前記第１のコードワードを決定することと、
前記第１の線形符号化に少なくとも部分的に基づいて前記第２のＰＢＣＨペイロードを符号化することと、
前記符号化された第２のＰＢＣＨペイロードのための第２のＣＲＣを決定することと、
前記第２の線形符号化に少なくとも部分的に基づいて、前記符号化された第２のＰＢＣＨペイロードと前記第２のＣＲＣとを符号化することによって、前記第２のコードワードを決定することと
をさらに備える、請求項３５に記載の方法。
【請求項４３】
前記第１のタイミングインジケータおよび前記第２のタイミングインジケータが各々同じビット数を備える、請求項３５に記載の方法。
【請求項４４】
タイミングインジケータの所定のセットから前記第１のタイミングインジケータと前記第２のタイミングインジケータとを選択すること
をさらに備える、請求項３５に記載の方法。
【請求項４５】
前記時間増分がＳＳブロックの数を備える、請求項３５に記載の方法。
【請求項４６】
前記第１のＰＢＣＨペイロードおよび前記第２のＰＢＣＨペイロードが各々同じマスタ情報ブロック（ＭＩＢ）を含む、請求項３５に記載の方法。
【請求項４７】
前記複数のＳＳブロックのために割り振られた前記リソースがブロードキャストチャネル送信時間間隔（ＢＣＨ  ＴＴＩ）内にある、請求項３５に記載の方法。
【請求項４８】
前記複数のＳＳブロックのために割り振られた前記リソースが異なるブロードキャストチャネル送信時間間隔（ＢＣＨ  ＴＴＩ）内にある、請求項３５に記載の方法。
【請求項４９】
前記第１のＳＳブロックおよび前記第２のＳＳブロックが各々、１次同期信号（ＰＳＳ）、２次同期信号（ＳＳＳ）、またはそれらの組合せを備える、請求項３５に記載の方法。
【請求項５０】
基地局におけるワイヤレス通信のための装置であって、前記装置は、
複数の同期信号（ＳＳ）ブロックのためにリソースを割り振るための手段と、
時間ギャップだけ第２のＳＳブロックバーストから時間的に分離された第１のＳＳブロックバーストの第１のＳＳブロック中で、第１の物理ブロードキャストチャネル（ＰＢＣＨ）ペイロードの線形符号化に少なくとも部分的に基づいて第１のコードワードを送信するための手段と、前記第１のＰＢＣＨペイロードが、前記第１のＳＳブロックのための第１のタイミングインジケータを含む、
時間増分を含むブロック間持続時間だけ前記第１のＳＳブロックから時間的に分離された第２のＳＳブロック中で、第２のＰＢＣＨペイロードの線形符号化に少なくとも部分的に基づいて第２のコードワードを送信するための手段と、前記第２のＰＢＣＨペイロードが、前記第２のＳＳブロックのための第２のタイミングインジケータを含み、前記第２のタイミングインジケータが、前記第１のタイミングインジケータと前記時間増分とに少なくとも部分的に基づく、
を備える、装置。
【請求項５１】
前記第２のＳＳブロックが前記第１のＳＳブロックバーストにおいて送信され、ここにおいて、前記ブロック間持続時間が前記時間増分に等しい、請求項５０に記載の装置。
【請求項５２】
前記第２のＳＳブロックが前記第１のＳＳブロックバーストにおいて送信され、前記ブロック間持続時間が前記時間増分に等しい、請求項５０に記載の装置。
【請求項５３】
第３のＳＳブロック中で、第３のＰＢＣＨペイロードの線形符号化に少なくとも部分的に基づいて第３のコードワードを送信するための手段をさらに備え、ここにおいて、前記第３のＳＳブロックが、前記ブロック間持続時間だけ他のＳＳブロックから時間的に分離されない、
請求項５０に記載の装置。
【請求項５４】
前記第１のタイミングインジケータが、前記第１のＳＳブロックのための、第１のＳＳブロックインデックス、または前記第１のＳＳブロックインデックスの一部分を備え、前記第２のタイミングインジケータが、前記第２のＳＳブロックのための、第２のＳＳブロックインデックス、または前記第２のＳＳブロックインデックスの一部分を備える、請求項５０に記載の装置。
【請求項５５】
前記第１のＳＳブロックインデックスが、ブロードキャストチャネル送信時間間隔（ＢＣＨ  ＴＴＩ）内の前記第１のＳＳブロックの第１のタイミングを識別し、前記第２のＳＳブロックインデックスが、前記ＢＣＨ  ＴＴＩ内の前記第２のＳＳブロックの第２のタイミングを識別する、請求項５４に記載の装置。
【請求項５６】
前記第１のＳＳブロックインデックスは、前記第１のＳＳブロックが送信される第１のビームを識別し、前記第２のＳＳブロックインデックスは、前記第２のＳＳブロックが送信される第２のビームを識別する、請求項５４に記載の装置。
【請求項５７】
第１の線形符号化に少なくとも部分的に基づいて前記第１のＰＢＣＨペイロードを符号化するための手段と、
前記符号化された第１のＰＢＣＨペイロードのための第１の巡回冗長検査（ＣＲＣ）を決定するための手段と、
第２の線形符号化に少なくとも部分的に基づいて、前記符号化された第１のＰＢＣＨペイロードと前記第１のＣＲＣとを符号化することによって、前記第１のコードワードを決定するための手段と、
前記第１の線形符号化に少なくとも部分的に基づいて前記第２のＰＢＣＨペイロードを符号化するための手段と、
前記符号化された第２のＰＢＣＨペイロードのための第２のＣＲＣを決定するための手段と、
前記第２の線形符号化に少なくとも部分的に基づいて、前記符号化された第２のＰＢＣＨペイロードと前記第２のＣＲＣとを符号化することによって、前記第２のコードワードを決定するための手段と
をさらに備える、請求項５０に記載の装置。
【請求項５８】
前記第１のタイミングインジケータおよび前記第２のタイミングインジケータが各々同じビット数を備える、請求項５０に記載の装置。
【請求項５９】
タイミングインジケータの所定のセットから前記第１のタイミングインジケータと前記第２のタイミングインジケータとを選択するための手段
をさらに備える、請求項５０に記載の装置。
【請求項６０】
前記時間増分がＳＳブロックの数を備える、請求項５０に記載の装置。
【発明の詳細な説明】
【技術分野】
【０００１】
相互参照
[0001]本特許出願は、各々が本出願の譲受人に譲渡された、２０１８年３月１５日に出願された、「Techniques For Communicating Synchronization Signal Block Index In A Physical Broadcast Channel Payload」と題する、Ｓａｄｉｑらによる米国特許出願第１５／９２２，５５４号、２０１７年３月２４日に出願された、「Techniques For Communicating Synchronization Signal Block Index In A Physical Broadcast Channel Payload」と題する、Ｓａｄｉｑらによる米国仮特許出願第６２／４７６，７０３号、および２０１７年３月２４日に出願された、「Techniques For Communicating Synchronization Signal Block Index In A Physical Broadcast Channel Payload」と題する、Ｓａｄｉｑらによる米国仮特許出願第６２／４７６，６４３号の優先権を主張する。
【０００２】
[0002]本開示は、たとえば、ワイヤレス通信システムに関し、より詳細には、物理ブロードキャストチャネル（ＰＢＣＨ）ペイロード中で同期信号（ＳＳ）ブロックインデックスを通信するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]ワイヤレス多元接続通信システムは、場合によってはユーザ機器またはＵＥとして知られている、複数の通信デバイスのための通信を各々が同時にサポートする、いくつかの基地局を含み得る。ロングタームエボリューション（ＬＴＥ（登録商標））またはＬＴＥアドバンスト（ＬＴＥ−Ａ）ネットワークでは、１つまたは複数の基地局のセットがｅノードＢ（ｅＮＢ）を定義し得る。次世代、新しい無線（ＮＲ）、ミリメートル波（ｍｍＷ）、または５Ｇネットワークでは、基地局は、スマート無線ヘッド（または無線ヘッド（ＲＨ））またはアクセスノードコントローラ（ＡＮＣ）の形態をとり得、ＡＮＣと通信しているスマート無線ヘッドのセットがｇノードＢ（ｇＮＢ）を定義する。基地局は、（たとえば、基地局からユーザ機器（ＵＥ）への送信のために）ダウンリンクチャネル上でＵＥのセットと通信し、（たとえば、ＵＥから基地局への送信のために）アップリンクチャネル上でＵＥのセットと通信し得る。
【０００５】
[0005]ｍｍＷ周波数範囲、たとえば、２８ＧＨｚ、４０ＧＨｚ、６０ＧＨｚなどにおいて動作するワイヤレスデバイスは、温度、気圧、回折など、様々な要因によって影響を及ぼされ得る、増加された信号減衰（たとえば、経路損失）に関連し得る。その結果、ビームフォーミングなど、信号処理技法が、エネルギーをコヒーレントに組み合わせ、これらの周波数における経路損失を克服するために使用され得る。いくつかの場合には、基地局は、信号が送信される（on which the signals are transmitted）ビームを変更しながら信号を反復的に送信することによってブロードキャストチャネル上で信号を送信し得る（たとえば、基地局は、ビーム掃引を実行しながら複数のビームの各々上で信号を送信し得る）。いくつかの場合には、基地局は、同期信号（ＳＳ）ブロックを定義する信号のグループを反復的に送信し得る。ＳＳブロック内で送信された信号は、１次同期信号（ＰＳＳ）、２次同期信号（ＳＳＳ）、および／または物理ブロードキャストチャネル（ＰＢＣＨ）を含み得る。これらの信号は、たとえば、ネットワークの取得のために、または他の目的のためにＵＥによって使用され得る。ＳＳブロックを使用してネットワークを取得するための従来のソリューションは不完全（deficient）である。
【発明の概要】
【０００６】
[0006]本明細書で説明される技法は、ユーザ機器（ＵＥ）が、同期し、ネットワークを取得することを可能にするために、物理ブロードキャストチャネル（ＰＢＣＨ）ペイロード中に同期信号（ＳＳ）ブロックインデックスを含むＳＳブロックを通信することと、異なるＳＳブロック中で受信されたコードワードを組み合わせることとを提供する。一例では、基地局が、異なるビーム上で（または同じビーム上で、ただし異なる時間に）、重複する信号を搬送する複数のＳＳブロックを送信し、ＵＥがＳＳブロックのうちの１つを受信したとき、ＵＥは、ＵＥが基地局と同期することを可能にするために、スロット境界、サブフレーム境界、フレーム境界、または何らかの他のタイミング基準に関して、ＳＳブロックのタイミングを決定し得る。いくつかの例では、ＳＳブロックのタイミングは、ＳＳブロックのシーケンス内のＳＳブロックのロケーションを伝達し得る、ＳＳブロックインデックスに少なくとも部分的に基づいて決定され得る。本開示は、ＳＳブロック中でＰＢＣＨペイロード中のＳＳブロックインデックスを通信するための技法について説明する。ＰＢＣＨペイロード中にＳＳブロックインデックスを含むことは、ＳＳブロックのＰＢＣＨペイロードがＳＳブロックごとに変化することを引き起こすので、本開示は、異なるＳＳブロック中で受信されたコードワードが、場合によっては、異なるコンテンツを有するＰＢＣＨペイロードに基づくにもかかわらず、それらのコードワードを組み合わせるための技法について説明する。本開示は、知られているタイミング関係を有し、したがって、すべての可能な組合せ仮説のより小さいサブセットからの仮説に従って組み合わせられ得るコードワードを含んでいるＳＳブロックを識別するための技法についても説明し、ここで、より小さいサブセットは、知られているタイミング関係を有するＳＳブロックに対応する仮説のみを含む。
【０００７】
[0007]一例では、ＵＥにおけるワイヤレス通信のための方法が説明される。本方法は、第１のＳＳブロック中で、第１のＰＢＣＨペイロードの線形符号化に少なくとも部分的に基づいて第１のコードワードを受信することと、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを受信することと、第２のＰＢＣＨペイロードが、第２のＳＳブロックのための第２のタイミングインジケータを含み、第２のタイミングインジケータが、第１のタイミングインジケータと時間増分とに少なくとも部分的に基づく、時間増分に少なくとも部分的に基づいて、第１のコードワードおよび第２のコードワードのための組み合わせられた復号メトリックの１つまたは複数の仮説を決定することと、１つまたは複数の仮説における少なくとも１つの仮説の各々に基づいて第１のコードワードを復号することと、少なくとも１つの仮説が正しい仮説を含む、正しい仮説に少なくとも部分的に基づいて第１のコードワードを復号するときに実行される巡回冗長検査（ＣＲＣ）検証に少なくとも部分的に基づいて第１のコードワードを決定することとを含み得る。
【０００８】
[0008]一例では、ＵＥにおけるワイヤレス通信のための装置が説明される。本装置は、プロセッサと、プロセッサと電子通信しているメモリと、メモリに記憶された命令とを含み得る。命令は、第１のＳＳブロック中で、第１のＰＢＣＨペイロードの線形符号化に少なくとも部分的に基づいて第１のコードワードを受信することと、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを受信することと、第２のＰＢＣＨペイロードが、第２のＳＳブロックのための第２のタイミングインジケータを含み、第２のタイミングインジケータが、第１のタイミングインジケータと時間増分とに少なくとも部分的に基づく、時間増分に少なくとも部分的に基づいて、第１のコードワードおよび第２のコードワードのための組み合わせられた復号メトリックの１つまたは複数の仮説を決定することと、１つまたは複数の仮説における少なくとも１つの仮説の各々に基づいて第１のコードワードを復号することと、少なくとも１つの仮説が正しい仮説を含む、正しい仮説に少なくとも部分的に基づいて第１のコードワードを復号するときに実行されるＣＲＣ検証に少なくとも部分的に基づいて第１のコードワードを決定することとを行うためにプロセッサによって実行可能であり得る。
【０００９】
[0009]一例では、ＵＥにおけるワイヤレス通信のための別の装置が説明される。本装置は、第１のＳＳブロック中で、第１のＰＢＣＨペイロードの線形符号化に少なくとも部分的に基づいて第１のコードワードを受信するための手段と、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを受信するための手段と、第２のＰＢＣＨペイロードが、第２のＳＳブロックのための第２のタイミングインジケータを含み、第２のタイミングインジケータが、第１のタイミングインジケータと時間増分とに少なくとも部分的に基づく、時間増分に少なくとも部分的に基づいて、第１のコードワードおよび第２のコードワードのための組み合わせられた復号メトリックの１つまたは複数の仮説を決定するための手段と、１つまたは複数の仮説における少なくとも１つの仮説の各々に基づいて第１のコードワードを復号するための手段と、少なくとも１つの仮説が正しい仮説を含む、正しい仮説に少なくとも部分的に基づいて第１のコードワードを復号するときに実行されるＣＲＣ検証に少なくとも部分的に基づいて第１のコードワードを決定するための手段とを含み得る。
【００１０】
[0010]一例では、ＵＥにおけるワイヤレス通信のためのコンピュータ実行可能コードを記憶する非一時的コンピュータ可読媒体が説明される。コードは、第１のＳＳブロック中で、第１のＰＢＣＨペイロードの線形符号化に少なくとも部分的に基づいて第１のコードワードを受信することと、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを受信することと、第２のＰＢＣＨペイロードが、第２のＳＳブロックのための第２のタイミングインジケータを含み、第２のタイミングインジケータが、第１のタイミングインジケータと時間増分とに少なくとも部分的に基づく、時間増分に少なくとも部分的に基づいて、第１のコードワードおよび第２のコードワードのための組み合わせられた復号メトリックの１つまたは複数の仮説を決定することと、１つまたは複数の仮説における少なくとも１つの仮説の各々に基づいて第１のコードワードを復号することと、少なくとも１つの仮説が正しい仮説を含む、正しい仮説に少なくとも部分的に基づいて第１のコードワードを復号するときに実行されるＣＲＣ検証に少なくとも部分的に基づいて第１のコードワードを決定することとを行うためにプロセッサによって実行可能であり得る。
【００１１】
[0011]上記で説明された方法、装置、および非一時的コンピュータ可読媒体のいくつかの例では、１つまたは複数の仮説を決定することは、時間増分に少なくとも部分的に基づいて、第１のタイミングインジケータと第２のタイミングインジケータとの間のビット差分についての第１の中間の１つまたは複数の仮説を決定することと、第１の中間の１つまたは複数の仮説に少なくとも部分的に基づいて、第１のコードワードおよび第２のコードワードのための組み合わせられた復号メトリックの１つまたは複数の仮説を決定することとを含み得る。上記で説明された方法、装置、および非一時的コンピュータ可読媒体のいくつかの例では、第１の中間の１つまたは複数の仮説に少なくとも部分的に基づいて、第１のコードワードおよび第２のコードワードのための組み合わせられた復号メトリックの１つまたは複数の仮説を決定することは、第１の中間の１つまたは複数の仮説に少なくとも部分的に基づいて、第１のコードワードと第２のコードワードとの間の符号化ビット差分についての第２の中間の１つまたは複数の仮説を決定することと、第２の中間の１つまたは複数の仮説のうちの少なくとも１つに少なくとも部分的に基づいて第２のコードワードのための復号メトリックの第２のセットを補正することと、第１のコードワードおよび第２のコードワードのための組み合わせられた復号メトリックの１つまたは複数の仮説を決定するために、復号メトリックの各補正された第２のセットを、第１のコードワードのための復号メトリックの第１のセットと組み合わせることとをさらに含み得る。
【００１２】
[0012]上記で説明された方法、装置、および非一時的コンピュータ可読媒体のいくつかの例では、組み合わせられた復号メトリックは対数尤度比（ＬＬＲ）を備える。
【００１３】
[0013]上記で説明された方法、装置、および非一時的コンピュータ可読媒体のいくつかの例では、第１のタイミングインジケータは、第１のＳＳブロックのための、第１のＳＳブロックインデックス、または第１のＳＳブロックインデックスの一部分を含み得、第２のタイミングインジケータは、第２のＳＳブロックのための、第２のＳＳブロックインデックス、または第２のＳＳブロックインデックスの一部分を含み得る。方法、装置、および非一時的コンピュータ可読媒体のいくつかの例は、第１のＳＳブロックインデックスに少なくとも部分的に基づいて、ブロードキャストチャネル送信時間間隔（ＢＣＨ  ＴＴＩ）内の第１のＳＳブロックの第１のタイミングを決定するためのプロセス、特徴、手段、または命令をさらに含み得る。方法、装置、および非一時的コンピュータ可読媒体のいくつかの例は、第１のＳＳブロックインデックスに少なくとも部分的に基づいて、第１のＳＳブロックがその上で送信されるビームを識別するためのプロセス、特徴、手段、または命令をさらに含み得る。
【００１４】
[0014]上記で説明された方法、装置、および非一時的コンピュータ可読媒体のいくつかの例では、第１のコードワードは、第１の線形符号化に少なくとも部分的に基づいて符号化された第１のＰＢＣＨペイロードを含み得、符号化された第１のＰＢＣＨペイロードと、符号化された第１のＰＢＣＨペイロードのための第１のＣＲＣとが、第２の線形符号化に少なくとも部分的に基づいて符号化され、第２のコードワードは、第１の線形符号化に少なくとも部分的に基づいて符号化された第２のＰＢＣＨペイロードを備え、符号化された第２のＰＢＣＨペイロードと、符号化された第２のＰＢＣＨペイロードのための第２のＣＲＣとが、第２の線形符号化に少なくとも部分的に基づいて符号化される。
【００１５】
[0015]上記で説明された方法、装置、および非一時的コンピュータ可読媒体のいくつかの例では、第１のコードワードは第２のコードワードの前に受信され得る。いくつかの例では、第２のコードワードは第１のコードワードの前に受信され得る。いくつかの例では、第１のタイミングインジケータおよび第２のタイミングインジケータは各々同じビット数を含み得る。いくつかの例では、第１のタイミングインジケータと第２のタイミングインジケータとは、タイミングインジケータの所定のセットからのものであり得る。いくつかの例では、時間増分はＳＳブロックの数を含み得る。いくつかの例では、第１のＰＢＣＨペイロードおよび第２のＰＢＣＨペイロードは各々同じマスタ情報ブロック（ＭＩＢ）を含み得る。いくつかの例では、第１のＳＳブロックと第２のＳＳブロックとはＢＣＨ  ＴＴＩ内に受信され得る。いくつかの例では、第１のＳＳブロックと第２のＳＳブロックとは異なるＢＣＨ  ＴＴＩ内に受信され得る。いくつかの例では、第１のＳＳブロックおよび第２のＳＳブロックは各々、ＰＳＳ、ＳＳＳ、またはそれらの組合せを含み得る。
【００１６】
[0016]一例では、基地局におけるワイヤレス通信のための方法が説明される。本方法は、複数のＳＳブロックのためにリソースを割り振ることと、時間ギャップだけ第２のＳＳブロックバーストから時間的に分離された第１のＳＳブロック中で、第１のＰＢＣＨペイロードの線形符号化に少なくとも部分的に基づいて第１のコードワードを送信することと、第１のＰＢＣＨペイロードが、第１のＳＳブロックのための第１のタイミングインジケータを含む、時間増分を含むブロック間持続時間だけ第１のＳＳブロックから時間的に分離された第２のＳＳブロック中で、第２のＰＢＣＨペイロードの線形符号化に少なくとも部分的に基づいて第２のコードワードを送信することと、第２のＰＢＣＨペイロードが、第２のＳＳブロックのための第２のタイミングインジケータを含み、第２のタイミングインジケータが、第１のタイミングインジケータと時間増分とに少なくとも部分的に基づく、を含み得る。
【００１７】
[0017]一例では、基地局におけるワイヤレス通信のための装置が説明される。本装置は、プロセッサと、プロセッサと電子通信しているメモリと、メモリに記憶された命令とを含み得る。命令は、複数のＳＳブロックのためにリソースを割り振ることと、第１のＳＳブロック中で、第１のＰＢＣＨペイロードの線形符号化に少なくとも部分的に基づいて第１のコードワードを送信することと、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを送信することと、第２のＰＢＣＨペイロードが、第２のＳＳブロックのための第２のタイミングインジケータを含み、第２のタイミングインジケータが、第１のタイミングインジケータと時間増分とに少なくとも部分的に基づく、を行うためにプロセッサによって実行可能であり得る。
【００１８】
[0018]一例では、基地局におけるワイヤレス通信のための装置が説明される。本装置は、複数のＳＳブロックのためにリソースを割り振るための手段と、第１のＳＳブロック中で、第１のＰＢＣＨペイロードの線形符号化に少なくとも部分的に基づいて第１のコードワードを送信するための手段と、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを送信するための手段と、第２のＰＢＣＨペイロードが、第２のＳＳブロックのための第２のタイミングインジケータを含み、第２のタイミングインジケータが、第１のタイミングインジケータと時間増分とに少なくとも部分的に基づく、を含み得る。
【００１９】
[0019]一例では、基地局におけるワイヤレス通信のためのコンピュータ実行可能コードを記憶する非一時的コンピュータ可読媒体が説明される。コードは、複数のＳＳブロックのためにリソースを割り振ることと、第１のＳＳブロック中で、第１のＰＢＣＨペイロードの線形符号化に少なくとも部分的に基づいて第１のコードワードを送信することと、第１のＰＢＣＨペイロードが、第１のＳＳブロックのための第１のタイミングインジケータを含む、時間増分だけ第１のＳＳブロックから時間的に分離された第２のＳＳブロック中で、第２のＰＢＣＨペイロードの線形符号化に少なくとも部分的に基づいて第２のコードワードを送信することと、第２のＰＢＣＨペイロードが、第２のＳＳブロックのための第２のタイミングインジケータを含み、第２のタイミングインジケータが、第１のタイミングインジケータと時間増分とに少なくとも部分的に基づく、を行うためにプロセッサによって実行可能であり得る。
【００２０】
[0020]上記で説明された方法、装置、および非一時的コンピュータ可読媒体のいくつかの例では、第２のＳＳブロックは第１のＳＳブロックバーストにおいて送信され、ブロック間持続時間は時間増分に等しい。いくつかの例では、第２のＳＳブロックは第２のＳＳブロックバーストにおいて送信され、ブロック間持続時間は時間ギャップを含む。
【００２１】
[0021]上記で説明された方法、装置、および非一時的コンピュータ可読媒体のいくつかの例は、第３のＳＳブロック中で、第３のＰＢＣＨペイロードの線形符号化に少なくとも部分的に基づいて第３のコードワードを送信するためのプロセス、特徴、手段、または命令をさらに含み得、第３のＳＳブロックは、ブロック間持続時間だけ他のＳＳブロックから時間的に分離されない。
【００２２】
[0022]いくつかの例では、第１のタイミングインジケータは、第１のＳＳブロックのための、第１のＳＳブロックインデックス、または第１のＳＳブロックインデックスの一部分を含み得、第２のタイミングインジケータは、第２のＳＳブロックのための、第２のＳＳブロックインデックス、または第２のＳＳブロックインデックスの一部分を備える。いくつかの例では、第１のＳＳブロックインデックスは、ＢＣＨ  ＴＴＩ内の第１のＳＳブロックの第１のタイミングを識別し得、第２のＳＳブロックインデックスは、ＢＣＨ  ＴＴＩ内の第２のＳＳブロックの第２のタイミングを識別し得る。いくつかの例では、第１のＳＳブロックインデックスは、第１のＳＳブロックがその上で送信される第１のビームを識別し得、第２のＳＳブロックインデックスは、第２のＳＳブロックがその上で送信される第２のビームを識別し得る。
【００２３】
[0023]上記で説明された方法、装置、および非一時的コンピュータ可読媒体のいくつかの例は、第１の線形符号化に少なくとも部分的に基づいて第１のＰＢＣＨペイロードを符号化することと、符号化された第１のＰＢＣＨペイロードのための第１のＣＲＣを決定することと、第２の線形符号化に少なくとも部分的に基づいて、符号化された第１のＰＢＣＨペイロードと第１のＣＲＣとを符号化することによって、第１のコードワードを決定することと、第１の線形符号化に少なくとも部分的に基づいて第２のＰＢＣＨペイロードを符号化することと、符号化された第２のＰＢＣＨペイロードのための第２のＣＲＣを決定することと、第２の線形符号化に少なくとも部分的に基づいて、符号化された第２のＰＢＣＨペイロードと第２のＣＲＣとを符号化することによって、第２のコードワードを決定することとを行うためのプロセス、特徴、手段、または命令をさらに含み得る。
【００２４】
[0024]上記で説明された方法、装置、および非一時的コンピュータ可読媒体のいくつかの例では、第１のタイミングインジケータおよび第２のタイミングインジケータは各々同じビット数を含み得る。
【００２５】
[0025]上記で説明された方法、装置、および非一時的コンピュータ可読媒体のいくつかの例は、タイミングインジケータの所定のセットから第１のタイミングインジケータと第２のタイミングインジケータとを選択するためのプロセス、特徴、手段、または命令をさらに含み得る。
【００２６】
[0026]上記で説明された方法、装置、および非一時的コンピュータ可読媒体のいくつかの例では、時間増分はＳＳブロックの数を含み得る。いくつかの例では、第１のＰＢＣＨペイロードおよび第２のＰＢＣＨペイロードは各々同じＭＩＢを含み得る。いくつかの例では、複数のＳＳブロックのために割り振られたリソースはＢＣＨ  ＴＴＩ内にあり得る。いくつかの例では、複数のＳＳブロックのために割り振られたリソースは異なるＢＣＨ  ＴＴＩ内にあり得る。いくつかの例では、第１のＳＳブロックおよび第２のＳＳブロックは各々、ＰＳＳ、ＳＳＳ、またはそれらの組合せを含み得る。
【００２７】
[0027]上記は、以下の発明を実施するための形態がより良く理解され得るように、本開示による例の特徴および技術的利点についてかなり広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとよりよく理解されよう。図の各々は、例示および説明の目的でのみ与えられるものであり、特許請求の範囲の制限の定義として与えられるものではない。
【００２８】
[0028]本発明の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、それらの同様の構成要素を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００２９】
【図１】[0029]本開示の様々な態様による、ワイヤレス通信システムの一例を示す図。
【図２】[0030]本開示の様々な態様による、周期ＢＣＨ  ＴＴＩ内のＳＳブロックの例示的なタイムラインを示す図。
【図３】[0031]本開示の様々な態様による、ｍｍＷワイヤレス通信システムの一例を示す図。
【図４】[0032]本開示の様々な態様による、ＳＳブロックの例示的なタイムラインと、知られている時間増分だけ分離された時間にＵＥによって受信された第１および第２のＳＳブロックの可能な識別情報とを示す図。
【図５】本開示の様々な態様による、ＳＳブロックの例示的なタイムラインと、知られている時間増分だけ分離された時間にＵＥによって受信された第１および第２のＳＳブロックの可能な識別情報とを示す図。
【図６】[0033]本開示の様々な態様による、ワイヤレス通信において使用するための装置のブロック図。
【図７】[0034]本開示の様々な態様による、ワイヤレス通信において使用するための装置のブロック図。
【図８】[0035]本開示の様々な態様による、ワイヤレス通信において使用するための装置のブロック図。
【図９】[0036]本開示の様々な態様による、ワイヤレス通信において使用するための装置のブロック図。
【図１０】[0037]本開示の様々な態様による、ワイヤレス通信において使用するためのＵＥのブロック図。
【図１１】[0038]本開示の様々な態様による、ワイヤレス通信において使用するための基地局のブロック図。
【図１２】[0039]本開示の様々な態様による、ＵＥにおけるワイヤレス通信のための方法の例を示すフローチャート。
【図１３】本開示の様々な態様による、ＵＥにおけるワイヤレス通信のための方法の例を示すフローチャート。
【図１４】本開示の様々な態様による、ＵＥにおけるワイヤレス通信のための方法の例を示すフローチャート。
【図１５】[0040]本開示の様々な態様による、基地局におけるワイヤレス通信のための方法の例を示すフローチャート。
【図１６】本開示の様々な態様による、基地局におけるワイヤレス通信のための方法の例を示すフローチャート。
【発明を実施するための形態】
【００３０】
[0041]本明細書で説明される技法は、ユーザ機器（ＵＥ）が同期し、ネットワークを取得することを可能にするために、物理ブロードキャストチャネル（ＰＢＣＨ）ペイロード中に同期信号ＳＳブロックインデックスを含む同期信号（ＳＳ）ブロックを通信することと、異なるＳＳブロック中で受信されたコードワードを組み合わせることとを提供する。一例では、基地局が、異なるビーム上で（または同じビーム上で、ただし異なる時間に）、重複する信号を搬送する複数のＳＳブロックを送信し、ＵＥがＳＳブロックのうちの１つを受信したとき、ＵＥは、ＵＥが基地局と同期することを可能にするために、スロット境界、サブフレーム境界、フレーム境界、または何らかの他のタイミング基準に関して、ＳＳブロックのタイミングを決定し得る。いくつかの例では、ＳＳブロックのタイミングは、ＳＳブロックのシーケンス内のＳＳブロックのロケーションを伝達し得る、ＳＳブロックインデックスに基づいて決定され得る。ＰＢＣＨペイロード中にＳＳブロックインデックスを含むことは、ＳＳブロックのＰＢＣＨペイロードがＳＳブロックごとに変化することを引き起こし、本開示は、異なるＳＳブロック中で受信されたコードワードが、場合によっては、異なるコンテンツを有するＰＢＣＨペイロードに基づくにもかかわらず、それらのコードワードを組み合わせるための技法を提供する。本開示は、知られているタイミング関係を有し、したがって、すべての可能な組合せ仮説のより小さいサブセットからの仮説に従って組み合わせられ得るコードワードを含んでいるＳＳブロックを識別するための技法についても説明し、ここで、サブセットは、知られているタイミング関係を有するＳＳブロックに対応する仮説のみを含む。
【００３１】
[0042]ワイヤレス通信システム（たとえば、ｍｍＷシステム）は、通信のために指向性またはビームフォーミングされた送信（たとえば、ビーム）を利用し得る。たとえば、基地局は、異なる方向に関連する複数の（multiple）ビーム上で信号を送信し得る。いくつかの場合には、基地局は、基地局のカバレージエリア全体にわたって分散されたＵＥを対象とするメッセージまたは信号を送信するための可能なビームの一部分（または全部）をビーム掃引することに関与し得る。たとえば、基地局は、周期ブロードキャストチャネル送信時間間隔（ＢＣＨ  ＴＴＩ）中に、異なるビーム上で、ＳＳブロックの複数のインスタンスを送信し得る。いくつかの場合には、基地局は、同じビーム上で、または全指向様式（omnidirectional manner）で、ＳＳブロックの複数のインスタンスを送信し得る。ＳＳブロックのうちの１つを受信するＵＥが、基地局に関連するネットワークを取得し得る。しかしながら、ネットワークを取得する前に、またはネットワークを取得する間に、ＵＥは、それが受信する１つまたは複数のＳＳブロックのタイミングを決定し得る。いくつかの場合には、ＳＳブロックのタイミングは、ＳＳブロックのシーケンス内のＳＳブロックのタイミングを伝達するＳＳブロックインデックスに基づいて決定され得る。
【００３２】
[0043]本開示で説明される技法は、ＳＳブロック中でＰＢＣＨペイロード中のＳＳブロックインデックスを通信し、異なるＳＳブロック中で受信されるコードワードが、場合によっては（possibly）、異なるコンテンツを有するＰＢＣＨペイロードに基づくにもかかわらず、それらのコードワードが組み合わせられることを可能にする。いくつかの例では、ＵＥは、特定のブロック間持続時間（specific inter-block time duration）を有するＳＳブロックと、特定のブロック間持続時間を有しないＳＳブロックとを識別し得る。特定のブロック間持続時間を有するＳＳブロックは、組み合わせられ得るコードワードを含み、特定のブロック間持続時間を有しないＳＳブロックは、誤検出として廃棄され、組み合わせられないことがある（may）。有益には、ＵＥは、特定のブロック間持続時間だけ分離されるＳＳブロックを識別することによって、組合せ可能であるＳＳブロックに対応する仮説のみを含むように、仮説の数を低減し得る。
【００３３】
[0044]以下の説明は例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々な動作が追加され、省略され、または組み合わせられ得る。また、いくつかの例に関して説明される特徴は、いくつかの他の例では組み合わせられ得る。
【００３４】
[0045]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）、ＬＴＥアドバンスト（ＬＴＥ−Ａ）ネットワーク、または新しい無線（ＮＲ）ネットワークであり得る。いくつかの場合には、ワイヤレス通信システム１００は、拡張ブロードバンド通信、超高信頼（すなわち、ミッションクリティカルな）通信、低レイテンシ通信、ならびに低コストおよび低複雑度デバイスとの通信をサポートし得る。
【００３５】
[0046]基地局１０５は、１つまたは複数の基地局アンテナを介してＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのアップリンク（ＵＬ）送信、または基地局１０５からＵＥ１１５へのダウンリンク（ＤＬ）送信を含み得る。制御情報およびデータは、様々な技法に従ってアップリンクチャネルまたはダウンリンク上で多重化され得る。制御情報およびデータは、たとえば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルのＴＴＩ中に送信された制御情報は、カスケード様式で異なる制御領域間で（たとえば、共通制御領域と１つまたは複数のＵＥ固有制御領域との間で）分散され得る。
【００３６】
[0047]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５はまた、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ（ＷＬＬ）局、モノのインターネット（ＩｏＴ）デバイス、あらゆるモノのインターネット（ＩｏＥ：Internet of Everything）デバイス、マシンタイプ通信（ＭＴＣ）デバイス、機器、自動車などであり得る。
【００３７】
[0048]いくつかの場合には、ＵＥ１１５はまた、（たとえば、ピアツーピア（Ｐ２Ｐ）またはデバイスツーデバイス（Ｄ２Ｄ）プロトコルを使用して）他のＵＥと直接通信することが可能であり得る。Ｄ２Ｄ通信を利用するＵＥ１１５のグループのうちの１つまたは複数が、セルの地理的カバレージエリア１１０内にあり得る。そのようなグループ中の他のＵＥ１１５は、セルの地理的カバレージエリア１１０外にあるか、またはさもなければ、基地局１０５からの送信を受信することができないことがある。場合によっては、Ｄ２Ｄ通信を介して通信するＵＥ１１５のグループは、各ＵＥ１１５がグループ中のあらゆる他のＵＥ１１５に送信する１対多（１：Ｍ）システムを利用し得る。場合によっては、基地局１０５が、Ｄ２Ｄ通信のためのリソースのスケジューリングを促進する。他の場合には、Ｄ２Ｄ通信は基地局１０５とは無関係に実行される。
【００３８】
[0049]ＭＴＣデバイスまたはＩｏＴデバイスなど、いくつかのＵＥ１１５は、低コストまたは低複雑度デバイスであり得、マシン間の自動通信、すなわち、マシンツーマシン（Ｍ２Ｍ）通信を与え得る。Ｍ２ＭまたはＭＴＣは、デバイスが人の介入なしに互いとまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を収集するか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００３９】
[0050]いくつかの場合には、ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。いくつかの場合には、ＭＴＣデバイスまたはＩｏＴデバイスは、ミッションクリティカルな機能をサポートするように設計され得、ワイヤレス通信システムは、これらの機能のための超高信頼通信を与えるように構成され得る。
【００４０】
[0051]基地局１０５は、コアネットワーク１３０および互いと通信し得る。たとえば、基地局１０５は、バックホールリンク１３２（たとえば、Ｓ１など）を通してコアネットワーク１３０とインターフェースし得る。基地局１０５は、直接または間接的にのいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５は、ｅノードＢ（ｅＮＢ）またはｇノードＢ（ｇＮＢ）と呼ばれることもある。
【００４１】
[0052]基地局１０５はＳ１インターフェースによってコアネットワーク１３０に接続され得る。コアネットワークは、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＵＥ１１５とＥＰＣとの間のシグナリングを処理する制御ノードであり得る。すべてのユーザインターネットプロトコル（ＩＰ）パケットはＳ−ＧＷを通して転送され得、Ｓ−ＧＷ自体はＰ−ＧＷに接続され得る。Ｐ−ＧＷはＩＰアドレス割振りならびに他の機能を与え得る。Ｐ−ＧＷは、ネットワーク事業者のＩＰサービスに接続され得る。事業者のＩＰサービスは、インターネットと、イントラネットと、ＩＰマルチメディアサブシステム（ＩＭＳ）と、パケット交換（ＰＳ：Packet-Switched）とを含み得る。
【００４２】
[0053]コアネットワーク１３０は、ユーザ認証と、アクセス認可と、トラッキングと、ＩＰ接続性と、他のアクセス、ルーティング、またはモビリティ機能とを与え得る。基地局１０５など、ネットワークデバイスのうちの少なくともいくつかは、アクセスノードコントローラ（ＡＮＣ）の一例であり得る、アクセスネットワークエンティティなどの副構成要素を含み得る。各アクセスネットワークエンティティは、各々がスマート無線ヘッドまたは送信／受信ポイント（ＴＲＰ）の一例であり得る、いくつかの他のアクセスネットワーク送信エンティティを通していくつかの（a number of）ＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）にコンソリデートされ得る。
【００４３】
[0054]時々、ＵＥ１１５は、基地局１０５との初期アクセス（取得）プロシージャを実行するか、基地局１０５と同期するか、または基地局１０５によって送信された信号を測定し得る。初期アクセスプロシージャを実行する（または同期する、または測定を実行する）とき、ＵＥ１１５は、基地局１０５によって送信されたＳＳブロックについてワイヤレススペクトルを探索し得る。ＳＳブロックは、ＵＥ１１５が基地局１０５と（または基地局１０５がアクセスを与えるネットワークを介して）通信し得るように、ＵＥ１１５を基地局１０５と同期させるためにＵＥ１１５によって使用可能な情報を含み得る。基地局１０５と同期した後に、ＵＥ１１５は、ランダムアクセスプリアンブルを基地局１０５に送信することによって基地局１０５とのランダムアクセスプロシージャを開始し得る。
【００４４】
[0055]図２は、本開示の様々な態様による、周期ＢＣＨ  ＴＴＩ内のＳＳブロック２０５の例示的なタイムライン２００を示す。ＳＳブロック２０５は基地局によって送信され得、基地局は、図１を参照しながら説明された基地局１０５のうちの１つまたは複数の態様の一例であり得る。ＵＥは、ＳＳブロック２０５のうちの１つまたは複数を受信し得る。ＵＥは、図１を参照しながら説明されたＵＥ１１５のうちの１つまたは複数の態様の一例であり得る。
【００４５】
[0056]ＳＳブロック２０５は、ＳＳブロックバースト２１０中に連続して送信された複数のＳＳブロック２０５を含み得る。ＳＳブロックバースト２１０は、Ｌ個のＳＳブロック２０５を含み得る。いくつかの例では、ＳＳブロックバースト２１０内のＳＳブロック２０５は、ビーム掃引を使用して異なるビーム上で送信され得る。他の例では、ＳＳブロックバースト２１０内のＳＳブロック２０５は、同じビーム上で、または全指向様式で送信され得る。いくつかの例では、ＳＳブロック２０５は、ＰＢＣＨと、ＰＳＳおよびＳＳＳのうちの１つまたは複数とを含み得る。ＰＢＣＨのペイロードは、ＳＳブロックインデックスまたは他のタイミング情報を含み得る。ＳＳブロックインデックスは、ＳＳブロック２０５のシーケンス内のＳＳブロック２０５のタイミング（たとえば、ＳＳブロックバースト２１０内のＳＳブロック２０５のタイミング）を示し得る。したがって、ＳＳブロックインデックスは、ＳＳブロックバーストセット２１５内の、およびＢＣＨ  ＴＴＩ２２０内のＳＳブロック２０５のタイミングをも示し得る（とはいえ、いくつかの場合には、ＳＳブロックバーストセット２１５またはＢＣＨ  ＴＴＩ２２０内のＳＳブロック２０５のタイミングを完全に決定するために、他のタイミング情報が、ＳＳブロックインデックスによって示されたタイミングと組み合わせられる必要があり得る）。いくつかの例では、ＳＳブロックインデックスは、ＳＳブロック２０５が送信されるビームをも示し得る。いくつかの例では、ＳＳブロック２０５のＳＳＳは、ＳＳブロック２０５を送信した基地局の物理セル識別情報（ＰＣＩ）に少なくとも部分的に基づき得る。
【００４６】
[0057]複数のＳＳブロックバースト２１０が、ＳＳブロックバーストセット２１５内で送信され得る。いくつかの例では、ＳＳブロックバーストセット２１５中のＳＳブロックバースト２１０は、異なるＰＢＣＨ冗長バージョン（ＲＶ）に関連し得る。いくつかの場合には、ＳＳブロックバーストセット２１５は、ｎ個のＳＳブロックバースト２１０を含み得る。ＳＳブロックバーストセット２１５内のＳＳブロックバースト２１０は、時間的に分離され得る。
【００４７】
[0058]複数のＳＳブロックバーストセット２１５は、ＢＣＨ  ＴＴＩ２２０内で送信され得る。本開示では、ＢＣＨ  ＴＴＩは、ＳＳブロックがＳＳブロックバースト２１０に割り振られるのかＳＳブロックバーストセット２１５に割り振られるのかにかかわらず、複数のＳＳブロックが同じシステム情報とともに送信される任意の時間間隔を含むように定義される。いくつかの例では、ＢＣＨ  ＴＴＩ２２０中のＳＳブロックバーストセット２１５は、異なるＳＳＳに関連し得る。いくつかの場合には、ＢＣＨ  ＴＴＩ２２０は、ｍ個のＳＳブロックバーストセット２１５を含み得る。
【００４８】
[0059]ｍ＝２、ｎ＝４、およびＬ＝１４であるとき、ＢＣＨ  ＴＴＩ２２０内で送信されたＳＳブロック２０５の数は、１１２（たとえば、ｍ・ｎ・Ｌ＝１１２）個であり得る。他の例では、ｍ、ｎ、およびＬの値は、より高いこともより低いこともある。とにかく、ＳＳブロック２０５のうちの１つを受信するＵＥは、ＳＳブロックバースト２１０、ＳＳブロックバーストセット２１５、および／またはＢＣＨ  ＴＴＩ２２０内のＳＳブロック２０５のタイミングを決定する必要があり得る。
【００４９】
[0060]図３は、本開示の様々な態様による、ｍｍＷワイヤレス通信システム３００の一例を示す。ｍｍＷワイヤレス通信システム３００は、図１を参照しながら説明された基地局１０５またはＵＥ１１５のうちの１つまたは複数の態様の例であり得る、基地局３０５およびＵＥ３１５を含み得る。
【００５０】
[0061]ｍｍＷ周波数における信号減衰および経路損失を克服するために、基地局３０５とＵＥ３１５とは、１つまたは複数のビーム（すなわち、指向性ビーム）上で互いと通信し得る。図示のように、基地局３０５は、複数のビーム３２０上で（たとえば、たとえば第１のビーム３２０−ａと、第２のビーム３２０−ｂと、第３のビーム３２０−ｃと、第４のビーム３２０−ｄと、第５のビーム３２０−ｅと、第６のビーム３２０−ｆとを含む、異なる指向性ビーム３２０上で）信号を送信し得る。他の例では、基地局３０５は、より多いまたはより少ないビーム３２０上で送信し得る。
【００５１】
[0062]いくつかの例では、基地局３０５は、ビーム３２０の各々上でＳＳブロックを送信し得、ＵＥ３１５は、ビーム３２０のうちの１つまたは複数上でＳＳブロックを受信し得る。ＵＥ３１５は、基地局３０５がアクセスを与えるネットワークを取得するために、ＳＳブロックのタイミングと、ＳＳブロックが受信されるビーム３２０とを決定し得る。いくつかの例では、ＵＥ３１５は、２つまたはそれ以上のＳＳブロックのための復号メトリックを受信し、組み合わせた後に、ＳＳブロックのタイミングを決定し、および／またはＳＳブロックが受信されるビーム３２０を識別し得る。
【００５２】
[0063]基地局は、ＳＳブロックインデックスの知られているシーケンスを使用してＳＳブロックを識別し得る。たとえば、ｌ∈Ｌ≡｛０，．．．，ｌmax−１｝が、ＳＳブロックインデックスのシーケンスを示すものとし、ここで、ｌmaxは、そのシーケンスで表されたＳＳブロックの総数である。いくつかの例では、ｌmax＝６４である。次に、ｃ（ｌ）＝Ｇｂ（ｌ）が、ＳＳブロックインデックスｌにおける（すなわち、ｓｓＩｄｘ  ｌにおける）ＰＢＣＨペイロードを搬送するコードワードを示すものとし、ここで、ｂ（ｌ）は、ｓｓＩｄｘ  ｌにおけるＰＢＣＨペイロードであり、ｌを含んでいる。いくつかの例では、ｌは、ＰＢＣＨペイロードの最下位ビット（ＬＳＢ）中で（たとえば、６つのＬＳＢ中で）搬送され得る。ＰＢＣＨペイロードの残りは、ＢＣＨ  ＴＴＩ内の他のＳＳブロックのＰＢＣＨペイロード中で搬送される同じＭＩＢを搬送し得る。Ｇは、ＰＢＣＨペイロードｂ（ｌ）の線形符号化を表し得、そこにおいて、Ｇ＝ＧcodeＧCRC（すなわち、ＣＲＣアタッチと、後続のコード生成行列）である。「コード」は、ポーラコード（polar code）、またはリード−ミュラーコード（Reed-Mueller code）、またはゴレイコード（Golay code）、またはテールバイティング畳み込みコード（ＴＢＣＣ：tail-biting convolutional code）など、任意の線形コードであり得る。また、ＣＲＣは、コードのハッシングされたビット、またはパリティビット、または凍結ビット（frozen bit）など、あるいはそれらの任意の組合せに基づく誤り検出コードなど、任意の他の線形またはアフィン誤り検出コードと交換され得る。基地局は、第１の線形符号化に少なくとも部分的に基づいて第１のＰＢＣＨペイロードを符号化し、符号化された第１のＰＢＣＨペイロードのための第１の巡回冗長検査（ＣＲＣ）を決定し得る。基地局は、第２の線形符号化に少なくとも部分的に基づいて、符号化された第１のＰＢＣＨペイロードと第１のＣＲＣとを符号化することによって、第１のコードワードを決定し、ワイヤレスチャネルを介してコードワードを送信するための信号を生成し得る。ＵＥは、ワイヤレスチャネルを介して信号を受信し、信号から復号されるコードワードが、同じＣＲＣコードを生成するために使用され得るかどうかを決定し得る。同じ場合、ＵＥは、コードワードがＣＲＣ検証をパスしたと決定する。
【００５３】
[0064]２つのＳＳブロックが、それらのＰＢＣＨペイロードが異なるＳＳブロックインデックス（たとえば、ｌ1およびｌ2）を含むコードワードを搬送するとき、ＵＥは、それがコードワードのための復号メトリックを組み合わせることができる前に、コードワード間の符号化ビット差分を決定する必要があり得る。いくつかの例では、ＵＥは、コードワードのための組み合わせられた復号メトリックの１つまたは複数の仮説に基づいて符号化ビット差分を決定し得、１つまたは複数の仮説は、コードワードの受信間の（すなわち、同じＳＳブロックバーストにおいてであることも異なるＳＳブロックバーストにおいてであることもある、第１のＳＳブロック中の第１のコードワードの受信と第２のＳＳブロック中の第２のコードワードの受信との間の）知られている時間増分に少なくとも部分的に基づき得る。第１のコードワードと第２のコードワードとが受信される順序は重要でなく（immaterial）、したがって、第１のコードワードは第２のコードワードの前に受信され得るか、または第２のコードワードは第１のコードワードの前に受信され得る。
【００５４】
[0065]第１のＳＳブロック中の第１のコードワードと第２のＳＳブロック中の第２のコードワードとのビット差分は、
【００５５】
【数１】
2020512752.tif 000003
【００５６】
と示され得る。ＵＥがｌ1またはｌ2を知らないとき、ＵＥは、たとえば、図４および図５を参照しながら説明されたように、ｌ1およびｌ2についてのいくつかの仮説を形成し得る。仮説はセットＢから選択され得、ここで、Ｂ＝｛δ（｛ｌ1，ｌ2｝）：｛ｌ1，ｌ2｝⊂Ｌ｝であり、ここで、｜Ｂ｜＝ｌmax（たとえば、６４）であるが、
【００５７】
【数２】
2020512752.tif 000004
【００５８】
個の仮説｛ｌ1，ｌ2｝がある。
【００５９】
[0066]第１のコードワードと第２のコードワードとが、知られている時間増分Δｔだけ分離された第１のＳＳブロックおよび第２のＳＳブロック中にあり、ΔｔがＳＳブロックの単位で表されるとき、ＵＥは、（ｌ＋Δｔ）∈Ｌであるようなすべてのｌ∈Ｌについて、ｌとｌ＋Δｔとの間のビット差分、δ（｛ｌ，ｌ＋Δｔ｝）についての第１の中間の１つまたは複数の仮説を決定し得る。ＵＥは、次いで、第１の中間の１つまたは複数の仮説に少なくとも部分的に基づいて、第１のコードワードと第２のコードワードとの間の符号化ビット差分についての第２の中間の１つまたは複数の仮説を決定し得る。符号化ビット差分は、（ｌ＋Δｔ）∈Ｌであるようなすべてのｌ∈Ｌについて、Ｇ・δ（｛ｌ，ｌ＋Δｔ｝）として決定され得る。いくつかの例では、ｄ（δ）＝Ｇδはすべてのδ∈Ｂについてオフラインで決定され得、Ｇ・δ（｛ｌ，ｌ＋Δｔ｝）はメモリから読み取られ得る。
【００６０】
[0067]第２の中間の１つまたは複数の仮説のうちの少なくとも１つに少なくとも部分的に基づいて、第２のコードワードのための復号メトリックのセットが補正され得る。たとえば、第２のコードワードのためのＬＬＲ（たとえば、ＬＬＲ（１＋Δｔ））は、（ｌ＋Δｔ）∈Ｌであるようなすべてのｌ∈ＬについてＧ・δ（｛ｌ，ｌ＋Δｔ｝）に基づいて補正され（corrected）得る。第２のコードワードのための補正された復号メトリックは、次いで、第１のコードワードおよび第２のコードワードのための組み合わせられた復号メトリックの１つまたは複数の仮説を与えるために、（ｌ＋Δｔ）∈Ｌであるようなすべてのｌ∈Ｌについて第１のコードワードのための復号メトリックと組み合わせられ得る。復号メトリックは、Ｇの線形性のために組み合わせられ得、すなわち、
【００６１】
【数３】
2020512752.tif 000005
【００６２】
であり、したがって、
【００６３】
【数４】
2020512752.tif 000006
【００６４】
、ここで、ｄ（δ（｛ｌ，ｌ＋Δｔ｝））は、オフラインで決定され、メモリから読み取られ得る。
【００６５】
[0068]第１のコードワードは、第１のコードワードおよび第２のコードワードのための組み合わせられた復号メトリックの１つまたは複数の仮説における少なくとも１つの仮説の各々に基づいて復号され得る。仮説のうちの１つは正しい仮説であるだろう。正しい仮説と第１のコードワードとは、正しい仮説に少なくとも部分的に基づいて第１のコードワードを復号するときに実行されるＣＲＣ検証に少なくとも部分的に基づいて決定され得る。いくつかの例では、ＣＲＣ検証は、コードのハッシングされたビット、またはパリティビット、または凍結ビットなど、あるいはそれらの任意の組合せに基づく誤り検出方式など、任意の他の線形またはアフィン誤り検出方式と交換され得る。ＳＳブロックインデックスｌは、第１のコードワードを正しく復号した後に第１のＳＳブロックの第１のＰＢＣＨペイロードから獲得され得る。
【００６６】
[0069]したがって、ＳＳブロックｌおよびｌ＋Δｔ中で送信／受信された第１のコードワードと第２のコードワードとが関係する場合、一方のコードワードは、コードワード間の時間分離Δｔ（the time separation Δt between the codewords）が知られている場合に他方から導出され得る。言い換えれば、一方のコードワードは他方のコードワードのスクランブルされたバージョンと見なされ得、ここで、スクランブルすることはＧδ（｛ｌ，ｌ＋Δｔ｝）によって与えられる。ＳＳブロックｌおよびｌ＋Δｔを受信するＵＥはΔｔ（すなわち、ＵＥが２つのＳＳブロックを時間的にどのくらい離れて検出したか）をすでに知っているので、ＵＥは、２つのコードワードのためのＬＬＲなどの復号メトリックを組み合わせ、復号性能を改善し得る。
【００６７】
[0070]Δｔ＝１であるとき、最悪の、仮説の数はｌmax−１（たとえば、６３）であるが、ＵＥが実行するブラインド復号の数は、すべてのｌ∈｛０，２，４，．．．｝についてδ（｛ｌ，ｌ＋Δｔ｝）＝１であるので、＜＜Ｌ−１（たとえば、６）であり得る。すべてのｌmax個のＳＳブロックが連続しない場合、仮説のさらなるシニング（thinning）（たとえば、低減）が行われ（occur）得る。
【００６８】
[0071]ｌ1およびｌ2についての（またはｌおよびｌ＋Δｔについての）仮説のセットは、ＳＳブロックバースト間およびＳＳブロックバーストセット間でのＳＳブロックの分散など、ＳＳブロックの特定の構成に依存し得る。図４は、Δｔ＝４つのＳＳブロックであるときのｌおよびｌ＋Δｔについての仮説を示し、図５は、Δｔ＝１３個のＳＳブロックであるときのｌおよびｌ＋Δｔについての仮説を示す。図４〜図５に関してより詳細に以下で説明されるように、仮説のセットは、ＳＳブロック間のブロック間持続時間（inter-block time duration）が非一様（nonuniform）である場合、低減され得る。以下でさらに詳細に説明されるように、ＳＳブロックのペアがブロック間持続時間だけ分離されない、仮説のセットにおけるあらゆる仮説が廃棄され得る。２つの関係するＳＳブロック間のブロック間持続時間はＳＳブロックバーストの持続時間よりも短いことも長いこともあり得、たとえば、ブロック間持続時間は、時間増分に対応し得、また、２つのＳＳブロックバースト間の介在（intervening）時間ギャップの持続時間を随意に含み得る。
【００６９】
[0072]いくつかの例では、非一様なブロック間持続時間は、ＵＥ１１５が、ＳＳブロックが同じＳＳバーストにおいて生じる仮説を考慮することを可能にし得る。図４は、本開示の様々な態様による、ＳＳブロック４０５の例示的なタイムライン４００と、知られている時間増分だけ分離された時間にＵＥによって受信された第１および第２のＳＳブロックの可能な識別情報とを示す。例として、ＳＳブロック４０５は２つのＳＳブロックバースト４１０にわたって分散され、各ＳＳブロックバースト４１０が１０個のＳＳブロック４０５を含む。ＳＳブロックバースト４１０は、たとえば、５ミリ秒（ｍｓ）の周期性を有し得、各ＳＳブロックバースト４１０が、たとえば、２５０マイクロ秒（μｓ）にわたる。ＳＳブロックバースト４１０は、時間ギャップ４２０だけ時間的に分離される。いくつかの例では、時間ギャップ４２０は、単一のＳＳブロック４０５の持続時間の倍数である。図４の例では、ＳＳブロック４０５の持続時間は２５μｓである（すなわち、２５０μｓの周期性が等しい持続時間の１０個のＳＳブロックに分割される）。一例では、時間ギャップ４２０は、周期性（５ｍｓ）−１０個のＳＳブロックの持続時間（２５０μｓ）に等しい。ＳＳブロック４０５は、図１および図３を参照しながら説明された基地局１０５または３０６などの基地局によって送信され得る。ＵＥは、ＳＳブロック４０５のうちの１つまたは複数を受信し得る。ＵＥは、図１および図３を参照しながら説明されたＵＥのうちの１つまたは複数の態様の一例であり得る。
【００７０】
[0073]図４は、第１の検出されたＳＳブロックと第２の検出されたＳＳブロックとを分離する知られている時間増分が４つのＳＳブロック（たとえば、Δｔ＝４つのＳＳブロック）であると仮定する。知られている時間増分はＳＳブロックバースト４１０の持続時間よりも短いので、ブロック間持続時間も４つのＳＳブロックである。知られている時間増分に鑑みて、およびＳＳブロックが図４に示されているパターンで送信されると仮定すると、ＵＥは、第１および第２のＳＳブロックの識別情報ならびにＳＳブロックのシーケンス内のそれらのそれぞれのロケーションについての１２個の仮説４１５を識別し得る（たとえば、ペア｛ｌ，ｌ＋４｝においてｌ∈｛１，２，．．．，６｝∪｛１１，１２，．．．，１６｝）。
【００７１】
[0074]例として、時間増分はＳＳブロックの数に基づき、この例におけるブロック間持続時間は時間増分４２５である。この例では、すべての可能な有効な仮説は同じＳＳブロックバースト４１０内で生じ、特定の候補ＳＳブロックペアが時間ギャップ４２０だけ分離されたあらゆる（any）可能な仮説が廃棄される。その結果、ブロック間持続時間は、関係するＳＳブロックが同じＳＳブロックバースト４１０内で生じなければならないので、時間増分４２５と同じである。したがって、ＳＳブロックペア７および１１、８および１２、９および１３、ならびに１０および１４に対応する仮説は、時間ギャップ４２０を通して導入された非一様性により、これらのＳＳブロックが時間増分４２５だけ（たとえば、同じブロック間持続時間だけ）分離されないので、仮説のセット中に含まれない。
【００７２】
[0075]すなわち、ブロック７とブロック１１との間のブロック間持続時間は、時間ギャップ４２０を含み、それにより、ブロック１および５、２および６などについて確立されたパターンに対してタイミングパターンを乱す（breaking）。有効な仮説と考えられるために、ＳＳブロックがブロック間持続時間だけ分離され（たとえば、４つのＳＳブロックに対応する持続時間だけ分離され）なければならないことを知ることによって、ＵＥ１１５は、他のＳＳブロックからブロック間持続時間４２５だけ分離されないＳＳブロックに対応する仮説を削除し得る。したがって、ＵＥ１１５は、ＳＳブロックペア７および１１、８および１２、９および１３、ならびに１０および１４に対応する仮説を廃棄し、それにより、ＵＥが、考慮される仮説の数を、１６個の可能な仮説から、考慮される図４に示されている１２個の仮説に低減することを可能にし得る。
【００７３】
[0076]いくつかの例では、非一様なブロック間持続時間は、ＵＥ１１５が、ＳＳブロックが異なるＳＳバーストにおいて生じる仮説を考慮することを可能にし得る。図５は、本開示の様々な態様による、ＳＳブロック５０５の例示的なタイムライン５００と、知られている時間増分だけ分離された時間にＵＥによって受信された第１および第２のＳＳブロックの可能な識別情報とを示す。例として、ＳＳブロック５０５は２つのＳＳブロックバースト５１０にわたって分散され、各ＳＳブロックバースト５１０が１０個のＳＳブロック５０５を含む。ＳＳブロックバースト５１０は、５ｍｓの周期性を有し得、各ＳＳブロックバースト５１０が２５０μｓにわたる。ＳＳブロックバースト５１０は、時間ギャップ５２０だけ分離される。いくつかの例では、時間ギャップ５２０は、ＳＳブロック５０５の持続時間の倍数である。図５の例では、ＳＳブロック５０５の持続時間は２５μｓであり、時間ギャップ５２０は、周期性（５ｍｓ）−１０個のＳＳブロックの持続時間（２５０μｓ）に等しい。ＳＳブロック５０５は、図１および図３を参照しながら説明された基地局１０５または３０５などの基地局によって送信され得る。ＵＥ１１５または３１５などのＵＥは、ＳＳブロック５０５のうちの１つまたは複数を受信し得る。
【００７４】
[0077]図５は、第１の検出されたＳＳブロックと第２の検出されたＳＳブロックとを分離する知られている時間増分が１３個のＳＳブロック（たとえば、Δｔ＝１３個のＳＳブロック）であると仮定する。知られている時間増分に鑑みて、およびＳＳブロックが図５に示されているパターンで送信されると仮定すると、ＵＥは、第１および第２のＳＳブロックの識別情報ならびにＳＳブロックのシーケンス内のそれらのそれぞれのロケーションについての７つの仮説５１５を識別し得る（たとえば、ペア｛ｌ，ｌ＋１３｝においてｌ∈｛１，２，．．．，７｝）。この例では、仮説５１５のすべてが、異なるＳＳブロックバースト中のＳＳブロックに対応する。例として、知られている時間増分はＳＳブロックの数に基づき、ブロック間持続時間５２５は、知られている時間増分＋ＳＳブロックバースト送信間の介在時間ギャップ５２０の持続時間である。
【００７５】
[0078]この例では、ＵＥ１１５は、ＳＳブロック８、９、１０、１１、１２、および１３がブロック間持続時間５２５だけ他のＳＳブロックから時間的に分離されないので、それらに対応する仮説を廃棄し得る。有効な仮説と考えられるために、ＳＳブロックがブロック間持続時間５２５だけ分離され（たとえば、１３個のＳＳブロック＋時間ギャップ５２０の持続時間だけ分離され）なければならないことを知ることによって、ＵＥ１１５は、他のＳＳブロックからブロック間持続時間５２５だけ分離されないＳＳブロックに対応する仮説を削除し得る。したがって、ＵＥ１１５は、ＳＳブロック８、９、１０、１１、１２、および１３に対応する仮説を廃棄し、それにより、ＵＥが、考慮される仮説の数を、１３個の可能な仮説から、考慮される７つの仮説に低減することを可能にし得る。
【００７６】
[0079]有益には、本明細書で説明される技法は、知られているタイミング関係を有し、したがって、すべての可能な組合せ仮説のセットのより小さいサブセットに従って組み合わせられ得るコードワードを含んでいるＳＳブロックを識別することを提供する。可能な仮説の数は、知られているタイミング関係を有するＳＳブロックに対応する仮説のみを含むように低減され得る。仮説の低減されたセットに対応する異なるＳＳブロック中のコードワードは、ＵＥが、従来のソリューションにおいてよりも高速に同期し、ネットワークを取得することを可能にするために組み合わせられ得る。
【００７７】
[0080]図６は、本開示の様々な態様による、ワイヤレス通信において使用するための装置６０５のブロック図６００を示す。装置６０５は、図１および図３を参照しながら説明されたＵＥのうちの１つまたは複数の態様の一例であり得る。装置６０５は、受信機６１０と、ＵＥワイヤレス通信マネージャ６１５と、送信機６２０とを含み得る。装置６０５はプロセッサをも含み得る。これらの構成要素の各々は、（たとえば、１つまたは複数のバスを介して）互いと通信していることがある。
【００７８】
[0081]受信機６１０は、その一部または全部が様々な情報チャネル（たとえば、データチャネル、制御チャネルなど）に関連し得る、データあるいは制御信号または情報（すなわち、送信）を受信し得る。受信された信号または情報、あるいはそれに対して実行された測定値は、装置６０５の他の構成要素に受け渡され得る。受信機６１０は１つまたは複数のアンテナを含み得る。
【００７９】
[0082]送信機６２０は、その一部または全部が様々な情報チャネル（たとえば、データチャネル、制御チャネルなど）に関連し得る、装置６０５の他の構成要素によって生成されたデータあるいは制御信号または情報（すなわち、送信）を送信し得る。いくつかの例では、送信機６２０は、トランシーバにおいて受信機６１０とコロケートされ得る。たとえば、送信機６２０と受信機６１０とは、図１０を参照しながら説明される（１つまたは複数の）トランシーバ１０３０の態様の一例であり得る。送信機６２０は、受信機６１０によって使用される１つまたは複数のアンテナとは別個であり（またはそれと共有され）得る１つまたは複数のアンテナを含み得る。
【００８０】
[0083]ＵＥワイヤレス通信マネージャ６１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥワイヤレス通信マネージャ６１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実行するように設計されたそれらの任意の組合せによって実行され得る。
【００８１】
[0084]ＵＥワイヤレス通信マネージャ６１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥワイヤレス通信マネージャ６１５および／またはそれの様々な副構成要素のうちの少なくともいくつかは、本開示の様々な態様による別個のおよび異なった構成要素であり得る。他の例では、ＵＥワイヤレス通信マネージャ６１５および／またはそれの様々な副構成要素のうちの少なくともいくつかは、本開示の様々な態様による、限定はしないが、Ｉ／Ｏ構成要素、トランシーバ、別のコンピューティングデバイス、本開示で説明される１つまたは複数の他の構成要素、またはそれらの組合せを含む、１つまたは複数の他のハードウェア構成要素と組み合わせられ得る。ＵＥワイヤレス通信マネージャ６１５は、ＳＳブロック受信マネージャ６２５と、仮説マネージャ６３０と、デコーダ６３５と、コードワード決定器６４０とを含み得る。
【００８２】
[0085]ＳＳブロック受信マネージャ６２５は、たとえば図２〜図５を参照しながら説明されたように、第１のＳＳブロック中で、第１のＰＢＣＨペイロードの線形符号化に少なくとも部分的に基づいて第１のコードワードを受信するために使用され得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための第１のＳＳブロックインデックスを含み得る。いくつかの例では、第１のコードワードは、第１の線形符号化に少なくとも部分的に基づいて符号化された第１のＰＢＣＨペイロードを含み得、符号化された第１のＰＢＣＨペイロードと、符号化された第１のＰＢＣＨペイロードのための第１のＣＲＣとが、第２の線形符号化に少なくとも部分的に基づいて符号化される。
【００８３】
[0086]ＳＳブロック受信マネージャ６２５は、たとえば図２〜図５を参照しながら説明されたように、時間増分だけ第１のＳＳブロックから時間的に分離された第２のＳＳブロック中で、第２のＰＢＣＨペイロードの線形符号化に少なくとも部分的に基づいて第２のコードワードを受信するためにも使用され得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のコードワードは、第１の線形符号化に少なくとも部分的に基づいて符号化された第２のＰＢＣＨペイロードを含み得、符号化された第２のＰＢＣＨペイロードと、符号化された第２のＰＢＣＨペイロードのための第２のＣＲＣとが、第２の線形符号化に少なくとも部分的に基づいて符号化される。いくつかの例では、時間増分はＳＳブロックの数を含み得る。
【００８４】
[0087]いくつかの例では、第１のコードワードは第２のコードワードの前に受信され得る。他の例では、第２のコードワードは第１のコードワードの前に受信され得る。第１のコードワードおよび第２のコードワードは各々同じビット数を含み得る。いくつかの例では、第１のコードワードと第２のコードワードとは、タイミングインジケータの所定のセットからのものであり得る。いくつかの例では、第１のＰＢＣＨペイロードおよび第２のＰＢＣＨペイロードは各々同じＭＩＢを含み得る。いくつかの例では、第１のＳＳブロックと第２のＳＳブロックとはＢＣＨ  ＴＴＩ内に受信され得る。いくつかの例では、第１のＳＳブロックと第２のＳＳブロックとは異なるＢＣＨ  ＴＴＩ内に受信され得る。いくつかの例では、第１のＳＳブロックおよび第２のＳＳブロックは各々、ＰＳＳ、ＳＳＳ、またはそれらの組合せを含み得る。
【００８５】
[0088]仮説マネージャ６３０は、たとえば図２〜図５を参照しながら説明されたように、時間増分に少なくとも部分的に基づいて、第１のコードワードおよび第２のコードワードのための組み合わせられた復号メトリックの１つまたは複数の仮説を決定するために使用され得る。いくつかの例では、復号メトリックはＬＬＲを含み得る。
【００８６】
[0089]デコーダ６３５は、たとえば図２〜図５を参照しながら説明されたように、第１のコードワードおよび第２のコードワードのための組み合わせられた復号メトリックの１つまたは複数の仮説における少なくとも１つの仮説の各々に基づいて第１のコードワードを復号するために使用され得る。少なくとも１つの仮説は正しい仮説を含み得る。
【００８７】
[0090]コードワード決定器６４０は、たとえば図２〜図５を参照しながら説明されたように、正しい仮説に少なくとも部分的に基づいて第１のコードワードを復号するときに実行されるＣＲＣ検証に少なくとも部分的に基づいて第１のコードワードを決定するために使用され得る。
【００８８】
[0091]図７は、本開示の様々な態様による、ワイヤレス通信において使用するための装置７０５のブロック図７００を示す。装置７０５は、図１および図３を参照しながら説明されたＵＥのうちの１つまたは複数の態様の一例であり得る。装置７０５は、受信機７１０と、ＵＥワイヤレス通信マネージャ７１５と、送信機７２０とを含み得る。装置７０５はプロセッサをも含み得る。これらの構成要素の各々は、（たとえば、１つまたは複数のバスを介して）互いと通信していることがある。
【００８９】
[0092]受信機７１０は、その一部または全部が様々な情報チャネル（たとえば、データチャネル、制御チャネルなど）に関連し得る、データあるいは制御信号または情報（すなわち、送信）を受信し得る。受信された信号または情報、あるいはそれに対して実行された測定値は、装置７０５の他の構成要素に受け渡され得る。受信機７１０は１つまたは複数のアンテナを含み得る。
【００９０】
[0093]送信機７２０は、その一部または全部が様々な情報チャネル（たとえば、データチャネル、制御チャネルなど）に関連し得る、装置７０５の他の構成要素によって生成されたデータあるいは制御信号または情報（すなわち、送信）を送信し得る。いくつかの例では、送信機７２０は、トランシーバにおいて受信機７１０とコロケートされ得る。たとえば、送信機７２０と受信機７１０とは、図１０を参照しながら説明される（１つまたは複数の）トランシーバ１０３０の態様の一例であり得る。送信機７２０は、受信機７１０によって使用される１つまたは複数のアンテナとは別個であり（またはそれと共有され）得る１つまたは複数のアンテナを含み得る。
【００９１】
[0094]ＵＥワイヤレス通信マネージャ７１５は、図６を参照しながら説明されたＵＥワイヤレス通信マネージャ６１５の態様の一例であり得る。ＵＥワイヤレス通信マネージャ７１５は、ＳＳブロック受信マネージャ７２５と、仮説マネージャ７３０と、デコーダ７３５と、コードワード決定器７４０と、随意のタイミングマネージャ７４５と、随意のビーム識別器７５０とを含み得る。仮説マネージャ７３０は、随意のビット差分仮説マネージャ７５５と、随意の符号化ビット差分仮説マネージャ７６０と、随意の復号メトリック補正器７６５と、随意の組み合わせられた復号メトリック仮説マネージャ７７０とを含み得る。これらの構成要素の各々は、直接または間接的に、（たとえば、１つまたは複数のバスを介して）互いと通信し得る。ＳＳブロック受信マネージャ７２５と、仮説マネージャ７３０と、デコーダ７３５と、コードワード決定器７４０とは、図６を参照しながら説明されたＳＳブロック受信マネージャ６２５、仮説マネージャ６３０、デコーダ６３５、およびコードワード決定器６４０の例であり得る。
【００９２】
[0095]ＳＳブロック受信マネージャ７２５は、たとえば図２〜図５を参照しながら説明されたように、第１のＳＳブロック中で、第１のＰＢＣＨペイロードの線形符号化に少なくとも部分的に基づいて第１のコードワードを受信するために使用され得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のコードワードは、第１の線形符号化に少なくとも部分的に基づいて符号化された第１のＰＢＣＨペイロードを含み得、符号化された第１のＰＢＣＨペイロードと、符号化された第１のＰＢＣＨペイロードのための第１のＣＲＣとが、第２の線形符号化に少なくとも部分的に基づいて符号化される。
【００９３】
[0096]ＳＳブロック受信マネージャ７２５は、たとえば図２〜図５を参照しながら説明されたように、時間増分だけ第１のＳＳブロックから時間的に分離された第２のＳＳブロック中で、第２のＰＢＣＨペイロードの線形符号化に少なくとも部分的に基づいて第２のコードワードを受信するためにも使用され得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のコードワードは、第１の線形符号化に少なくとも部分的に基づいて符号化された第２のＰＢＣＨペイロードを含み得、符号化された第２のＰＢＣＨペイロードと、符号化された第２のＰＢＣＨペイロードのための第２のＣＲＣとが、第２の線形符号化に少なくとも部分的に基づいて符号化される。いくつかの例では、時間増分はＳＳブロックの数を含み得る。
【００９４】
[0097]いくつかの例では、第１のコードワードは第２のコードワードの前に受信され得る。他の例では、第２のコードワードは第１のコードワードの前に受信され得る。第１のコードワードおよび第２のコードワードは各々同じビット数を含み得る。いくつかの例では、第１のコードワードと第２のコードワードとは、タイミングインジケータの所定のセットからのものであり得る。いくつかの例では、第１のＰＢＣＨペイロードおよび第２のＰＢＣＨペイロードは各々同じＭＩＢを含み得る。いくつかの例では、第１のＳＳブロックと第２のＳＳブロックとはＢＣＨ  ＴＴＩ内に受信され得る。いくつかの例では、第１のＳＳブロックと第２のＳＳブロックとは異なるＢＣＨ  ＴＴＩ内に受信され得る。いくつかの例では、第１のＳＳブロックおよび第２のＳＳブロックは各々、ＰＳＳ、ＳＳＳ、またはそれらの組合せを含み得る。
【００９５】
[0098]ビット差分仮説マネージャ７５５は、たとえば図２〜図５を参照しながら説明されたように、時間増分に少なくとも部分的に基づいて、第１のタイミングインジケータと第２のタイミングインジケータとの間のビット差分についての第１の中間の１つまたは複数の仮説を決定するために使用され得る。
【００９６】
[0099]符号化ビット差分仮説マネージャ７６０は、たとえば図２〜図５を参照しながら説明されたように、ビット差分についての第１の中間の１つまたは複数の仮説に少なくとも部分的に基づいて、第１のコードワードと第２のコードワードとの間の符号化ビット差分についての第２の中間の１つまたは複数の仮説を決定するために使用され得る。
【００９７】
[0100]復号メトリック補正器７６５は、たとえば図２〜図５を参照しながら説明されたように、第２の中間の１つまたは複数の仮説のうちの少なくとも１つに少なくとも部分的に基づいて第２のコードワードのための復号メトリックの第２のセットを補正するために使用され得る。
【００９８】
[0101]組み合わせられた復号メトリック仮説マネージャ７７０は、第１のコードワードおよび第２のコードワードのための組み合わせられた復号メトリックの１つまたは複数の仮説を決定するために、復号メトリックの各補正された第２のセットを、第１のコードワードのための復号メトリックの第１のセットと組み合わせるために使用され得る。いくつかの例では、復号メトリックの第１のセットと復号メトリックの第２のセットとは、たとえば図２〜図５を参照しながら説明されたように、ＬＬＲを含み得る。
【００９９】
[0102]デコーダ７３５は、たとえば図２〜図５を参照しながら説明されたように、第１のコードワードおよび第２のコードワードのための組み合わせられた復号メトリックの１つまたは複数の仮説における少なくとも１つの仮説の各々に基づいて第１のコードワードを復号するために使用され得る。少なくとも１つの仮説は正しい仮説を含み得る。
【０１００】
[0103]コードワード決定器７４０は、たとえば図２〜図５を参照しながら説明されたように、正しい仮説に少なくとも部分的に基づいて第１のコードワードを復号するときに実行されるＣＲＣ検証に少なくとも部分的に基づいて第１のコードワードを決定するために使用され得る。
【０１０１】
[0104]タイミングマネージャ７４５は、たとえば図２〜図５を参照しながら説明されたように、第１のＳＳブロックインデックスに少なくとも部分的に基づいて、ＢＣＨ  ＴＴＩ内の第１のＳＳブロックの第１のタイミングを決定するために使用され得る。
【０１０２】
[0105]ビーム識別器７５０は、たとえば図２〜図５を参照しながら説明されたように、第１のＳＳブロックインデックスに少なくとも部分的に基づいて、第１のＳＳブロックが送信されるビームを識別するために使用され得る。
【０１０３】
[0106]図８は、本開示の様々な態様による、ワイヤレス通信において使用するための装置８０５のブロック図８００を示す。装置８０５は、図１および図３を参照しながら説明された基地局のうちの１つまたは複数の態様の一例であり得る。装置８０５は、受信機８１０と、基地局ワイヤレス通信マネージャ８１５と、送信機８２０とを含み得る。装置８０５はプロセッサをも含み得る。これらの構成要素の各々は、（たとえば、１つまたは複数のバスを介して）互いと通信していることがある。
【０１０４】
[0107]受信機８１０は、その一部または全部が様々な情報チャネル（たとえば、データチャネル、制御チャネルなど）に関連し得る、データあるいは制御信号または情報（すなわち、送信）を受信し得る。受信された信号または情報、あるいはそれに対して実行された測定値は、装置８０５の他の構成要素に受け渡され得る。受信機８１０は１つまたは複数のアンテナを含み得る。
【０１０５】
[0108]送信機８２０は、その一部または全部が様々な情報チャネル（たとえば、データチャネル、制御チャネルなど）に関連し得る、装置８０５の他の構成要素によって生成されたデータあるいは制御信号または情報（すなわち、送信）を送信し得る。いくつかの例では、送信機８２０は、トランシーバにおいて受信機８１０とコロケートされ得る。たとえば、送信機８２０と受信機８１０とは、図１１を参照しながら説明される（１つまたは複数の）トランシーバ１１５０の態様の一例であり得る。送信機８２０は、受信機８１０によって使用される１つまたは複数のアンテナとは別個であり（またはそれと共有され）得る１つまたは複数のアンテナを含み得る。
【０１０６】
[0109]基地局ワイヤレス通信マネージャ８１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局ワイヤレス通信マネージャ８１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実行するように設計されたそれらの任意の組合せによって実行され得る。
【０１０７】
[0110]基地局ワイヤレス通信マネージャ８１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局ワイヤレス通信マネージャ８１５および／またはそれの様々な副構成要素のうちの少なくともいくつかは、本開示の様々な態様による別個のおよび異なった構成要素であり得る。他の例では、基地局ワイヤレス通信マネージャ８１５および／またはそれの様々な副構成要素のうちの少なくともいくつかは、本開示の様々な態様による、限定はしないが、Ｉ／Ｏ構成要素、トランシーバ、別のコンピューティングデバイス、本開示で説明される１つまたは複数の他の構成要素、またはそれらの組合せを含む、１つまたは複数の他のハードウェア構成要素と組み合わせられ得る。基地局ワイヤレス通信マネージャ８１５は、リソースアロケータ８２５と、コードワード送信機８３０とを含み得る。
【０１０８】
[0111]リソースアロケータ８２５は、たとえば図２〜図５を参照しながら説明されたように、複数のＳＳブロックのためにリソースを割り振るために使用され得る。いくつかの例では、複数のＳＳブロックのために割り振られたリソースはＢＣＨ  ＴＴＩ内にあり得る。いくつかの例では、複数のＳＳブロックのために割り振られたリソースは異なるＢＣＨ  ＴＴＩ内にあり得る。
【０１０９】
[0112]コードワード送信機８３０は、たとえば図２〜図５を参照しながら説明されたように、時間ギャップだけ第２のＳＳブロックバーストから時間的に分離された第１のＳＳブロックバーストの第１のＳＳブロック中で、第１のＰＢＣＨペイロードの線形符号化に少なくとも部分的に基づいて第１のコードワードを送信するために使用され得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のＳＳブロックインデックスは、ＢＣＨ  ＴＴＩ内の第１のＳＳブロックの第１のタイミングを識別し得る。いくつかの例では、第１のＳＳブロックインデックスは、第１のＳＳブロックが送信される第１のビームを識別し得る。
【０１１０】
[0113]コードワード送信機８３０は、たとえば図２〜図５を参照しながら説明されたように、時間増分を含むブロック間持続時間だけ第１のＳＳブロックから時間的に分離された第２のＳＳブロック中で、第２のＰＢＣＨペイロードの線形符号化に少なくとも部分的に基づいて第２のコードワードを送信するためにも使用され得る。第２のＳＳブロックは第１のＳＳブロックバーストにおいて送信され得、ブロック間持続時間は時間増分に等しくなり得る。代替的に、第２のＳＳブロックは第２のＳＳブロックバーストにおいて送信され得、ブロック間持続時間は時間ギャップを含み得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のＳＳブロックインデックスは、ＢＣＨ  ＴＴＩ内の第２のＳＳブロックの第２のタイミングを識別し得る。いくつかの例では、第２のＳＳブロックインデックスは、第２のＳＳブロックがその上で送信される第２のビームを識別し得る。いくつかの例では、時間増分はＳＳブロックの数を含み得る。
【０１１１】
[0114]第１のコードワードおよび第２のコードワードは各々同じビット数を含み得る。いくつかの例では、基地局ワイヤレス通信マネージャ８１５は、タイミングインジケータの所定のセットから第１のタイミングインジケータおよび第２のタイミングインジケータを選択し得る。いくつかの例では、第１のＰＢＣＨペイロードおよび第２のＰＢＣＨペイロードは各々同じＭＩＢを含み得る。いくつかの例では、第１のＳＳブロックおよび第２のＳＳブロックは各々、ＰＳＳ、ＳＳＳ、またはそれらの組合せを含み得る。
【０１１２】
[0115]図９は、本開示の様々な態様による、ワイヤレス通信において使用するための装置９０５のブロック図９００を示す。装置９０５は、図１および図３を参照しながら説明された基地局のうちの１つまたは複数の態様の一例であり得る。装置９０５は、受信機９１０と、基地局ワイヤレス通信マネージャ９１５と、送信機９２０とを含み得る。装置９０５はプロセッサをも含み得る。これらの構成要素の各々は、（たとえば、１つまたは複数のバスを介して）互いと通信していることがある。
【０１１３】
[0116]受信機９１０は、その一部または全部が様々な情報チャネル（たとえば、データチャネル、制御チャネルなど）に関連し得る、データあるいは制御信号または情報（すなわち、送信）を受信し得る。受信された信号または情報、あるいはそれに対して実行された測定値は、装置９０５の他の構成要素に受け渡され得る。受信機９１０は１つまたは複数のアンテナを含み得る。
【０１１４】
[0117]送信機９２０は、その一部または全部が様々な情報チャネル（たとえば、データチャネル、制御チャネルなど）に関連し得る、装置９０５の他の構成要素によって生成されたデータあるいは制御信号または情報（すなわち、送信）を送信し得る。いくつかの例では、送信機９２０は、トランシーバにおいて受信機９１０とコロケートされ得る。たとえば、送信機９２０と受信機９１０とは、図１１を参照しながら説明される（１つまたは複数の）トランシーバ１１５０の態様の一例であり得る。送信機９２０は、受信機９１０によって使用される１つまたは複数のアンテナとは別個であり（またはそれと共有され）得る１つまたは複数のアンテナを含み得る。
【０１１５】
[0118]基地局ワイヤレス通信マネージャ９１５は、図８を参照しながら説明された基地局ワイヤレス通信マネージャ８１５の態様の一例であり得る。基地局ワイヤレス通信マネージャ９１５は、リソースアロケータ９２５と、ＰＢＣＨペイロードエンコーダ９３０と、ＣＲＣ決定器９３５と、コードワード決定器９４０と、コードワード送信機９４５とを含み得る。これらの構成要素の各々は、直接または間接的に、（たとえば、１つまたは複数のバスを介して）互いと通信し得る。リソースアロケータ９２５とコードワード送信機９４５とは、図８を参照しながら説明されたリソースアロケータ８２５およびコードワード送信機８３０の例であり得る。
【０１１６】
[0119]リソースアロケータ９２５は、たとえば図２〜図５を参照しながら説明されたように、複数のＳＳブロックのためにリソースを割り振るために使用され得る。いくつかの例では、複数のＳＳブロックのために割り振られたリソースはＢＣＨ  ＴＴＩ内にあり得る。いくつかの例では、複数のＳＳブロックのために割り振られたリソースは異なるＢＣＨ  ＴＴＩ内にあり得る。
【０１１７】
[0120]ＰＢＣＨペイロードエンコーダ９３０は、たとえば図２〜図５を参照しながら説明されたように、第１の線形符号化に少なくとも部分的に基づいて第１のＰＢＣＨペイロードを符号化するために使用され得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のＳＳブロックインデックスは、ＢＣＨ  ＴＴＩ内の第１のＳＳブロックの第１のタイミングを識別し得る。いくつかの例では、第１のＳＳブロックインデックスは、第１のＳＳブロックがその上で送信される第１のビームを識別し得る。
【０１１８】
[0121]ＰＢＣＨペイロードエンコーダ９３０は、たとえば図２〜図５を参照しながら説明されたように、第１の線形符号化に少なくとも部分的に基づいて第２のＰＢＣＨペイロードを符号化するためにも使用され得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のＳＳブロックインデックスは、ＢＣＨ  ＴＴＩ内の第２のＳＳブロックの第２のタイミングを識別し得る。いくつかの例では、第２のＳＳブロックインデックスは、第２のＳＳブロックがその上で送信される第２のビームを識別し得る。
【０１１９】
[0122]ＣＲＣ決定器９３５は、たとえば図２〜図５を参照しながら説明されたように、符号化された第１のＰＢＣＨペイロードのための第１のＣＲＣを決定するために使用され得る。ＣＲＣ決定器９３５は、符号化された第２のＰＢＣＨペイロードのための第２のＣＲＣを決定するためにも使用され得る。
【０１２０】
[0123]コードワード決定器９４０は、たとえば図２〜図５を参照しながら説明されたように、第２の線形符号化に少なくとも部分的に基づいて、符号化された第１のＰＢＣＨペイロードと第１のＣＲＣとを符号化することによって、第１のコードワードを決定するために使用され得る。コードワード決定器は、第２の線形符号化に少なくとも部分的に基づいて、符号化された第２のＰＢＣＨペイロードと第２のＣＲＣとを符号化することによって、第２のコードワードを決定するためにも使用され得る。
【０１２１】
[0124]コードワード送信機９４５は、たとえば図２〜図５を参照しながら説明されたように、時間ギャップだけ第２のＳＳブロックバーストから時間的に分離された第１のＳＳブロックバーストの第１のＳＳブロック中で第１のコードワードを送信するために使用され得る。コードワード送信機９４５は、時間増分を含むブロック間持続時間だけ第１のＳＳブロックから時間的に分離された第２のＳＳブロック中で第２のコードワードを送信するためにも使用され得る。いくつかの例では、時間増分はＳＳブロックの数を含み得る。いくつかの例では、第２のＳＳブロックは第１のＳＳブロックバーストにおいて送信され得、ブロック間持続時間は時間増分に等しくなり得る。いくつかの例では、第２のＳＳブロックは第２のＳＳブロックバーストにおいて送信され得、ブロック間持続時間は時間ギャップを含み得る。
【０１２２】
[0125]第１のコードワードおよび第２のコードワードは各々同じビット数を含み得る。いくつかの例では、基地局ワイヤレス通信マネージャ９１５は、タイミングインジケータの所定のセットから第１のコードワードおよび第２のコードワードを選択し得る。いくつかの例では、第１のＰＢＣＨペイロードおよび第２のＰＢＣＨペイロードは各々同じＭＩＢを含み得る。いくつかの例では、第１のＳＳブロックおよび第２のＳＳブロックは各々、ＰＳＳ、ＳＳＳ、またはそれらの組合せを含み得る。
【０１２３】
[0126]図１０は、本開示の様々な態様による、ワイヤレス通信において使用するためのＵＥ１０１５のブロック図１０００を示す。ＵＥ１０１５は、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダー、車両、家庭用電気器具、照明またはアラーム制御システムなど含まれるかまたはそれらの一部であり得る。ＵＥ１０１５は、いくつかの例では、モバイル動作を可能にするために、小型バッテリーなどの内部電源（図示せず）を有し得る。いくつかの例では、ＵＥ１０１５は、図１および図３を参照しながら説明されたＵＥのうちの１つまたは複数の態様、あるいは図６を参照しながら説明された装置の態様の一例であり得る。ＵＥ１０１５は、図１〜図７を参照しながら説明されたＵＥまたは装置の技法または機能のうちの少なくともいくつかを実装するように構成され得る。
【０１２４】
[0127]ＵＥ１０１５は、プロセッサ１０１０、メモリ１０２０、（（１つまたは複数の）トランシーバ１０３０によって表される）少なくとも１つのトランシーバ、アンテナ１０４０（たとえば、アンテナアレイ）、またはＵＥワイヤレス通信マネージャ１０５０を含み得る。これらの構成要素の各々は、１つまたは複数のバス１０３５を介して、直接または間接的に、互いと通信していることがある。
【０１２５】
[0128]メモリ１０２０は、ランダムアクセスメモリ（ＲＡＭ）または読取り専用メモリ（ＲＯＭ）を含み得る。メモリ１０２０は、実行されたとき、たとえば、ＳＳブロックインデックスを含むＰＢＣＨペイロードを含む１つまたは複数のＳＳブロックを受信し、復号することを含む、ワイヤレス通信に関係する本明細書で説明される様々な機能をプロセッサ１０１０に実行させるように構成された命令を含んでいるコンピュータ可読、コンピュータ実行可能コード１０２５を記憶し得る。代替的に、コンピュータ実行可能コード１０２５は、プロセッサ１０１０によって直接的に実行可能ではないが、（たとえば、コンパイルされ、実行されたとき）本明細書で説明される機能のうちのいくつかをＵＥ１０１５に実行させるように構成され得る。
【０１２６】
[0129]プロセッサ１０１０は、インテリジェントハードウェアデバイス、たとえば、中央処理ユニット（ＣＰＵ）、マイクロコントローラ、ＡＳＩＣなどを含み得る。プロセッサ１０１０は、（１つまたは複数の）トランシーバ１０３０を通して受信された情報、またはアンテナ１０４０を通した送信のために（１つまたは複数の）トランシーバ１０３０に送られるべき情報を処理し得る。プロセッサ１０１０は、単独で、またはＵＥワイヤレス通信マネージャ１０５０とともに、１つまたは複数の無線周波数スペクトル帯域上で通信すること（またはそれの上での通信を管理すること）の１つまたは複数の態様を扱い得る。
【０１２７】
[0130]（１つまたは複数の）トランシーバ１０３０は、パケットを変調し、変調されたパケットを送信のためにアンテナ１０４０に与え、アンテナ１０４０から受信されたパケットを復調するように構成されたモデムを含み得る。（１つまたは複数の）トランシーバ１０３０は、いくつかの例では、１つまたは複数の送信機および１つまたは複数の別個の受信機として実装され得る。（１つまたは複数の）トランシーバ１０３０は、１つまたは複数の無線周波数スペクトル帯域中の通信をサポートし得る。（１つまたは複数の）トランシーバ１０３０は、アンテナ１０４０を介して、図１、図３、または図８を参照しながら説明された基地局のうちの１つまたは複数など、１つまたは複数の基地局または装置と双方向に通信するように構成され得る。
【０１２８】
[0131]ＵＥワイヤレス通信マネージャ１０５０は、図１〜図７を参照しながら説明されたＵＥまたは装置の技法または機能の一部または全部を実行または制御するように構成され得る。ＵＥワイヤレス通信マネージャ１０５０、またはそれの部分はプロセッサを含み得、あるいはＵＥワイヤレス通信マネージャ１０５０の機能の一部または全部は、プロセッサ１０１０によって実行されるか、またはプロセッサ１０１０とともに実行され得る。いくつかの例では、ＵＥワイヤレス通信マネージャ１０５０は、図６および図７を参照しながら説明されたＵＥワイヤレス通信マネージャのうちの１つまたは複数の態様の一例であり得る。
【０１２９】
[0132]図１１は、本開示の様々な態様による、ワイヤレス通信において使用するための基地局１１０５のブロック図１１００を示す。いくつかの例では、基地局１１０５は、図１および図３を参照しながら説明された基地局のうちの１つまたは複数の態様、あるいは図８を参照しながら説明された装置の態様の一例であり得る。基地局１１０５は、図１〜図５、図８、および図９を参照しながら説明された基地局または装置の技法または機能のうちの少なくともいくつかを実装するかまたは可能にするように構成され得る。
【０１３０】
[0133]基地局１１０５は、プロセッサ１１１０、メモリ１１２０、（（１つまたは複数の）トランシーバ１１５０によって表される）少なくとも１つのトランシーバ、少なくとも１つのアンテナ１１５５（たとえば、アンテナアレイ）、または基地局ワイヤレス通信マネージャ１１６０を含み得る。基地局１１０５はまた、基地局コミュニケータ１１３０またはネットワークコミュニケータ１１４０のうちの１つまたは複数を含み得る。これらの構成要素の各々は、１つまたは複数のバス１１３５を介して、直接または間接的に、互いと通信していることがある。
【０１３１】
[0134]メモリ１１２０はＲＡＭまたはＲＯＭを含み得る。メモリ１１２０は、実行されたとき、たとえば、ＳＳブロックのためにリソースを割り振ることと、ＳＳブロックインデックスを含むＰＢＣＨペイロードを含む１つまたは複数のＳＳブロックを送信することとを含む、ワイヤレス通信に関係する本明細書で説明される様々な機能をプロセッサ１１１０に実行させるように構成された命令を含んでいるコンピュータ可読、コンピュータ実行可能コード１１２５を記憶し得る。代替的に、コンピュータ実行可能コード１１２５は、プロセッサ１１１０によって直接的に実行可能ではないが、（たとえば、コンパイルされ、実行されたとき）本明細書で説明される機能のうちのいくつかを基地局１１０５に実行させるように構成され得る。
【０１３２】
[0135]プロセッサ１１１０は、インテリジェントハードウェアデバイス、たとえば、ＣＰＵ、マイクロコントローラ、ＡＳＩＣなどを含み得る。プロセッサ１１１０は、（１つまたは複数の）トランシーバ１１５０、基地局コミュニケータ１１３０、またはネットワークコミュニケータ１１４０を通して受信された情報を処理し得る。プロセッサ１１１０はまた、アンテナ１１５５を通した送信のために（１つまたは複数の）トランシーバ１１５０に送られるべき情報、または１つまたは複数の他の基地局（たとえば、基地局１１０５−ａおよび基地局１１０５−ｂ）への送信のために基地局コミュニケータ１１３０に送られるべき情報、または図１を参照しながら説明されたコアネットワーク１３０の１つまたは複数の態様の一例であり得る、コアネットワーク１１４５への送信のためにネットワークコミュニケータ１１４０に送られるべき情報を処理し得る。プロセッサ１１１０は、単独で、または基地局ワイヤレス通信マネージャ１１６０とともに、１つまたは複数の無線周波数スペクトル帯域上で通信すること（またはそれの上での通信を管理すること）の１つまたは複数の態様を扱い得る。
【０１３３】
[0136]（１つまたは複数の）トランシーバ１１５０は、パケットを変調し、変調されたパケットを送信のためにアンテナ１１５５に与え、アンテナ１１５５から受信されたパケットを復調するように構成されたモデムを含み得る。（１つまたは複数の）トランシーバ１１５０は、いくつかの例では、１つまたは複数の送信機および１つまたは複数の別個の受信機として実装され得る。（１つまたは複数の）トランシーバ１１５０は、１つまたは複数の無線周波数スペクトル帯域中の通信をサポートし得る。（１つまたは複数の）トランシーバ１１５０は、アンテナ１１５５を介して、図１、図３、図６、または図１０を参照しながら説明されたＵＥまたは装置のうちの１つまたは複数など、１つまたは複数のＵＥまたは装置と双方向に通信するように構成され得る。基地局１１０５は、ネットワークコミュニケータ１１４０を通してコアネットワーク１１４５と通信し得る。基地局１１０５はまた、基地局コミュニケータ１１３０を使用して、基地局１１０５−ａおよび基地局１１０５−ｂなど、他の基地局と通信し得る。
【０１３４】
[0137]基地局ワイヤレス通信マネージャ１１６０は、図１〜図５、図８、および図９を参照しながら説明された基地局または装置の技法または機能の一部または全部を実行または制御するように構成され得る。基地局ワイヤレス通信マネージャ１１６０、またはそれの部分はプロセッサを含み得、あるいは基地局ワイヤレス通信マネージャ１１６０の機能の一部または全部は、プロセッサ１１１０によって実行されるか、またはプロセッサ１１１０とともに実行され得る。いくつかの例では、基地局ワイヤレス通信マネージャ１１６０は、図８および図９を参照しながら説明された基地局ワイヤレス通信マネージャのうちの１つまたは複数の態様の一例であり得る。
【０１３５】
[0138]図１２は、本開示の様々な態様による、ＵＥにおけるワイヤレス通信のための方法１２００の一例を示すフローチャートである。明快のために、方法１２００は、図１、図３、および図１０を参照しながら説明されたＵＥのうちの１つまたは複数の態様、図６を参照しながら説明された装置の態様、または図６、図７、および図１０を参照しながら説明されたＵＥワイヤレス通信マネージャのうちの１つまたは複数の態様に関して以下で説明される。いくつかの例では、ＵＥは、以下で説明される機能を実行するようにＵＥの機能要素を制御するためのコードの１つまたは複数のセットを実行し得る。追加または代替として、ＵＥは、専用ハードウェアを使用して、以下で説明される機能のうちの１つまたは複数を実行し得る。
【０１３６】
[0139]ブロック１２０５において、方法１２００は、たとえば図２〜図５を参照しながら説明されたように、第１のＳＳブロック中で、第１のＰＢＣＨペイロードの線形符号化に少なくとも部分的に基づいて第１のコードワードを受信することを含み得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のコードワードは、第１の線形符号化に少なくとも部分的に基づいて符号化された第１のＰＢＣＨペイロードを含み得、符号化された第１のＰＢＣＨペイロードと、符号化された第１のＰＢＣＨペイロードのための第１のＣＲＣとが、第２の線形符号化に少なくとも部分的に基づいて符号化される。いくつかの例では、ブロック１２０５における（１つまたは複数の）動作は、図６および図７を参照しながら説明されたＳＳブロック受信マネージャを使用して実行され得る。
【０１３７】
[0140]ブロック１２１０において、方法１２００は、たとえば図２〜図５を参照しながら説明されたように、時間増分だけ第１のＳＳブロックから時間的に分離された第２のＳＳブロック中で、第２のＰＢＣＨペイロードの線形符号化に少なくとも部分的に基づいて第２のコードワードを受信することを含み得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のコードワードは、第１の線形符号化に少なくとも部分的に基づいて符号化された第２のＰＢＣＨペイロードを含み得、符号化された第２のＰＢＣＨペイロードと、符号化された第２のＰＢＣＨペイロードのための第２のＣＲＣとが、第２の線形符号化に少なくとも部分的に基づいて符号化される。いくつかの例では、時間増分はＳＳブロックの数を含み得る。いくつかの例では、ブロック１２１０における（１つまたは複数の）動作は、図６および図７を参照しながら説明されたＳＳブロック受信マネージャを使用して実行され得る。
【０１３８】
[0141]方法１２００におけるブロックの順序は、第１のコードワードが第２のコードワードの前に受信されることを暗示するが、第１のコードワードが第２のコードワードの前に受信され得るか、または第２のコードワードが第１のコードワードの前に受信され得る。第１のコードワードおよび第２のコードワードは各々同じビット数を含み得る。いくつかの例では、第１のコードワードと第２のコードワードとは、タイミングインジケータの所定のセットからのものであり得る。いくつかの例では、第１のＰＢＣＨペイロードおよび第２のＰＢＣＨペイロードは各々同じＭＩＢを含み得る。いくつかの例では、第１のＳＳブロックと第２のＳＳブロックとはＢＣＨ  ＴＴＩ内に受信され得る。いくつかの例では、第１のＳＳブロックと第２のＳＳブロックとは異なるＢＣＨ  ＴＴＩ内に受信され得る。いくつかの例では、第１のＳＳブロックおよび第２のＳＳブロックは各々、ＰＳＳ、ＳＳＳ、またはそれらの組合せを含み得る。
【０１３９】
[0142]ブロック１２１５において、方法１２００は、たとえば図２〜図５を参照しながら説明されたように、時間増分に少なくとも部分的に基づいて、第１のコードワードおよび第２のコードワードのための組み合わせられた復号メトリックの１つまたは複数の仮説を決定することを含み得る。いくつかの例では、復号メトリックはＬＬＲを含み得る。いくつかの例では、ブロック１２１５における（１つまたは複数の）動作は、図６および図７を参照しながら説明された仮説マネージャを使用して実行され得る。
【０１４０】
[0143]ブロック１２２０において、方法１２００は、たとえば図２〜図５を参照しながら説明されたように、第１のコードワードおよび第２のコードワードのための組み合わせられた復号メトリックの１つまたは複数の仮説における少なくとも１つの仮説の各々に基づいて第１のコードワードを復号することを含み得る。少なくとも１つの仮説は正しい仮説を含み得る。いくつかの例では、ブロック１２２０における（１つまたは複数の）動作は、図６および図７を参照しながら説明されたデコーダを使用して実行され得る。
【０１４１】
[0144]ブロック１２２５において、方法１２００は、たとえば図２〜図５を参照しながら説明されたように、正しい仮説に少なくとも部分的に基づいて第１のコードワードを復号するときに実行されるＣＲＣ検証に少なくとも部分的に基づいて第１のコードワードを決定することを含み得る。いくつかの例では、ブロック１２２５における（１つまたは複数の）動作は、図６および図７を参照しながら説明されたコードワード決定器を使用して実行され得る。
【０１４２】
[0145]ブロック１２３０において、方法１２００は、たとえば図２〜図５を参照しながら説明されたように、第１のＳＳブロックインデックスに少なくとも部分的に基づいて、ＢＣＨ  ＴＴＩ内の第１のＳＳブロックの第１のタイミングを決定することを随意に含み得る。いくつかの例では、ブロック１２３０における（１つまたは複数の）動作は、図７を参照しながら説明されたタイミングマネージャを使用して実行され得る。
【０１４３】
[0146]ブロック１２３５において、方法１２００は、たとえば図２〜図５を参照しながら説明されたように、第１のＳＳブロックインデックスに少なくとも部分的に基づいて、第１のＳＳブロックが送信されるビームを識別することを随意に含み得る。いくつかの例では、ブロック１２３５における（１つまたは複数の）動作は、図７を参照しながら説明されたビーム識別器を使用して実行され得る。
【０１４４】
[0147]図１３は、本開示の様々な態様による、ＵＥにおけるワイヤレス通信のための方法１３００の一例を示すフローチャートである。明快のために、方法１３００は、図１、図３、および図１０を参照しながら説明されたＵＥのうちの１つまたは複数の態様、図６を参照しながら説明された装置の態様、または図６、図７、および図１０を参照しながら説明されたＵＥワイヤレス通信マネージャのうちの１つまたは複数の態様に関して以下で説明される。いくつかの例では、ＵＥは、以下で説明される機能を実行するようにＵＥの機能要素を制御するためのコードの１つまたは複数のセットを実行し得る。追加または代替として、ＵＥは、専用ハードウェアを使用して、以下で説明される機能のうちの１つまたは複数を実行し得る。
【０１４５】
[0148]ブロック１３０５において、方法１３００は、たとえば図２〜図５を参照しながら説明されたように、第１のＳＳブロック中で、第１のＰＢＣＨペイロードの線形符号化に少なくとも部分的に基づいて第１のコードワードを受信することを含み得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のコードワードは、第１の線形符号化に少なくとも部分的に基づいて符号化された第１のＰＢＣＨペイロードを含み得、符号化された第１のＰＢＣＨペイロードと、符号化された第１のＰＢＣＨペイロードのための第１のＣＲＣとが、第２の線形符号化に少なくとも部分的に基づいて符号化される。いくつかの例では、ブロック１３０５における（１つまたは複数の）動作は、図６および図７を参照しながら説明されたＳＳブロック受信マネージャを使用して実行され得る。
【０１４６】
[0149]ブロック１３１０において、方法１３００は、たとえば図２〜図５を参照しながら説明されたように、時間増分だけ第１のＳＳブロックから時間的に分離された第２のＳＳブロック中で、第２のＰＢＣＨペイロードの線形符号化に少なくとも部分的に基づいて第２のコードワードを受信することを含み得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のコードワードは、第１の線形符号化に少なくとも部分的に基づいて符号化された第２のＰＢＣＨペイロードを含み得、符号化された第２のＰＢＣＨペイロードと、符号化された第２のＰＢＣＨペイロードのための第２のＣＲＣとが、第２の線形符号化に少なくとも部分的に基づいて符号化される。いくつかの例では、時間増分はＳＳブロックの数を含み得る。いくつかの例では、ブロック１３１０における（１つまたは複数の）動作は、図６および図７を参照しながら説明されたＳＳブロック受信マネージャを使用して実行され得る。
【０１４７】
[0150]方法１３００におけるブロックの順序は、第１のコードワードが第２のコードワードの前に受信されることを暗示するが、第１のコードワードが第２のコードワードの前に受信され得るか、または第２のコードワードが第１のコードワードの前に受信され得る。第１のコードワードおよび第２のコードワードは各々同じビット数を含み得る。いくつかの例では、第１のコードワードと第２のコードワードとは、タイミングインジケータの所定のセットからのものであり得る。いくつかの例では、第１のＰＢＣＨペイロードおよび第２のＰＢＣＨペイロードは各々同じＭＩＢを含み得る。いくつかの例では、第１のＳＳブロックと第２のＳＳブロックとはＢＣＨ  ＴＴＩ内に受信され得る。いくつかの例では、第１のＳＳブロックと第２のＳＳブロックとは異なるＢＣＨ  ＴＴＩ内に受信され得る。いくつかの例では、第１のＳＳブロックおよび第２のＳＳブロックは各々、ＰＳＳ、ＳＳＳ、またはそれらの組合せを含み得る。
【０１４８】
[0151]ブロック１３１５および１３２０において、方法１３００は、たとえば図２〜図５を参照しながら説明されたように、時間増分に少なくとも部分的に基づいて、第１のコードワードおよび第２のコードワードのための組み合わせられた復号メトリックの１つまたは複数の仮説を決定することを含み得る。ブロック１３１５において、方法１３００は、時間増分に少なくとも部分的に基づいて、第１のタイミングインジケータと第２のタイミングインジケータとの間のビット差分についての第１の中間の１つまたは複数の仮説を決定することを含み得る。いくつかの例では、ブロック１３１５における（１つまたは複数の）動作は、図６および図７を参照しながら説明された仮説マネージャ、または図７を参照しながら説明されたビット差分仮説マネージャを使用して実行され得る。
【０１４９】
[0152]ブロック１３２０において、方法１３００は、第１の中間の１つまたは複数の仮説に少なくとも部分的に基づいて、第１のコードワードおよび第２のコードワードのための組み合わせられた復号メトリックの１つまたは複数の仮説を決定することを含み得る。いくつかの例では、復号メトリックはＬＬＲを含み得る。いくつかの例では、ブロック１３２０における（１つまたは複数の）動作は、図６および図７を参照しながら説明された仮説マネージャ、または図７を参照しながら説明された組み合わせられた復号メトリック仮説マネージャを使用して実行され得る。
【０１５０】
[0153]ブロック１３２５において、方法１３００は、たとえば図２〜図５を参照しながら説明されたように、第１のコードワードおよび第２のコードワードのための組み合わせられた復号メトリックの１つまたは複数の仮説における少なくとも１つの仮説の各々に基づいて第１のコードワードを復号することを含み得る。少なくとも１つの仮説は正しい仮説を含み得る。いくつかの例では、ブロック１３２５における（１つまたは複数の）動作は、図６および図７を参照しながら説明されたデコーダを使用して実行され得る。
【０１５１】
[0154]ブロック１３３０において、方法１３００は、たとえば図２〜図５を参照しながら説明されたように、正しい仮説に少なくとも部分的に基づいて第１のコードワードを復号するときに実行されるＣＲＣ検証に少なくとも部分的に基づいて第１のコードワードを決定することを含み得る。いくつかの例では、ブロック１３３０における（１つまたは複数の）動作は、図６および図７を参照しながら説明されたコードワード決定器を使用して実行され得る。
【０１５２】
[0155]ブロック１３３５において、方法１３００は、たとえば図２〜図５を参照しながら説明されたように、第１のＳＳブロックインデックスに少なくとも部分的に基づいて、ＢＣＨ  ＴＴＩ内の第１のＳＳブロックの第１のタイミングを決定することを随意に含み得る。いくつかの例では、ブロック１３３５における（１つまたは複数の）動作は、図７を参照しながら説明されたタイミングマネージャを使用して実行され得る。
【０１５３】
[0156]ブロック１３４０において、方法１３００は、たとえば図２〜図５を参照しながら説明されたように、第１のＳＳブロックインデックスに少なくとも部分的に基づいて、第１のＳＳブロックがその上で送信されるビームを識別することを随意に含み得る。いくつかの例では、ブロック１３４０における（１つまたは複数の）動作は、図７を参照しながら説明されたビーム識別器を使用して実行され得る。
【０１５４】
[0157]図１４は、本開示の様々な態様による、ＵＥにおけるワイヤレス通信のための方法１４００の一例を示すフローチャートである。明快のために、方法１４００は、図１、図３、および図１０を参照しながら説明されたＵＥのうちの１つまたは複数の態様、図６を参照しながら説明された装置の態様、または図６、図７、および図１０を参照しながら説明されたＵＥワイヤレス通信マネージャのうちの１つまたは複数の態様に関して以下で説明される。いくつかの例では、ＵＥは、以下で説明される機能を実行するようにＵＥの機能要素を制御するためのコードの１つまたは複数のセットを実行し得る。追加または代替として、ＵＥは、専用ハードウェアを使用して、以下で説明される機能のうちの１つまたは複数を実行し得る。
【０１５５】
[0158]ブロック１４０５において、方法１４００は、たとえば図２〜図５を参照しながら説明されたように、第１のＳＳブロック中で、第１のＰＢＣＨペイロードの線形符号化に少なくとも部分的に基づいて第１のコードワードを受信することを含み得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のコードワードは、第１の線形符号化に少なくとも部分的に基づいて符号化された第１のＰＢＣＨペイロードを含み得、符号化された第１のＰＢＣＨペイロードと、符号化された第１のＰＢＣＨペイロードのための第１のＣＲＣとが、第２の線形符号化に少なくとも部分的に基づいて符号化される。いくつかの例では、ブロック１４０５における（１つまたは複数の）動作は、図６および図７を参照しながら説明されたＳＳブロック受信マネージャを使用して実行され得る。
【０１５６】
[0159]ブロック１４１０において、方法１４００は、たとえば図２〜図５を参照しながら説明されたように、時間増分だけ第１のＳＳブロックから時間的に分離された第２のＳＳブロック中で、第２のＰＢＣＨペイロードの線形符号化に少なくとも部分的に基づいて第２のコードワードを受信することを含み得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のコードワードは、第１の線形符号化に少なくとも部分的に基づいて符号化された第２のＰＢＣＨペイロードを含み得、符号化された第２のＰＢＣＨペイロードと、符号化された第２のＰＢＣＨペイロードのための第２のＣＲＣとが、第２の線形符号化に少なくとも部分的に基づいて符号化される。いくつかの例では、時間増分はＳＳブロックの数を含み得る。いくつかの例では、ブロック１４１０における（１つまたは複数の）動作は、図６および図７を参照しながら説明されたＳＳブロック受信マネージャを使用して実行され得る。
【０１５７】
[0160]方法１４００におけるブロックの順序は、第１のコードワードが第２のコードワードの前に受信されることを暗示するが、第１のコードワードが第２のコードワードの前に受信され得るか、または第２のコードワードが第１のコードワードの前に受信され得る。第１のコードワードおよび第２のコードワードは各々同じビット数を含み得る。いくつかの例では、第１のコードワードと第２のコードワードとは、タイミングインジケータの所定のセットからのものであり得る。いくつかの例では、第１のＰＢＣＨペイロードおよび第２のＰＢＣＨペイロードは各々同じＭＩＢを含み得る。いくつかの例では、第１のＳＳブロックと第２のＳＳブロックとはＢＣＨ  ＴＴＩ内に受信され得る。いくつかの例では、第１のＳＳブロックと第２のＳＳブロックとは異なるＢＣＨ  ＴＴＩ内に受信され得る。いくつかの例では、第１のＳＳブロックおよび第２のＳＳブロックは各々、ＰＳＳ、ＳＳＳ、またはそれらの組合せを含み得る。
【０１５８】
[0161]ブロック１４１５、１４２０、１４２５、および１４３０において、方法１４００は、たとえば図２〜図５を参照しながら説明されたように、時間増分に少なくとも部分的に基づいて、第１のコードワードおよび第２のコードワードのための組み合わせられた復号メトリックの１つまたは複数の仮説を決定することを含み得る。ブロック１４１５において、方法１４００は、時間増分に少なくとも部分的に基づいて、第１のタイミングインジケータと第２のタイミングインジケータとの間のビット差分についての第１の中間の１つまたは複数の仮説を決定することを含み得る。いくつかの例では、ブロック１４１５における（１つまたは複数の）動作は、図６および図７を参照しながら説明された仮説マネージャ、または図７を参照しながら説明されたビット差分仮説マネージャを使用して実行され得る。
【０１５９】
[0162]ブロック１４２０、１４２５、および１４３０において、方法１４００は、第１の中間の１つまたは複数の仮説に少なくとも部分的に基づいて、第１のコードワードおよび第２のコードワードのための組み合わせられた復号メトリックの１つまたは複数の仮説を決定することを含み得る。ブロック１４２０において、方法１４００は、ビット差分についての第１の中間の１つまたは複数の仮説に少なくとも部分的に基づいて、第１のコードワードと第２のコードワードとの間の符号化ビット差分についての第２の中間の１つまたは複数の仮説を決定することを含み得る。いくつかの例では、ブロック１４２０における（１つまたは複数の）動作は、図６および図７を参照しながら説明された仮説マネージャ、または図７を参照しながら説明された符号化ビット差分仮説マネージャを使用して実行され得る。
【０１６０】
[0163]ブロック１４２５において、方法１４００は、第２の中間の１つまたは複数の仮説のうちの少なくとも１つに少なくとも部分的に基づいて第２のコードワードのための復号メトリックの第２のセットを補正することを含み得る。いくつかの例では、ブロック１４２５における（１つまたは複数の）動作は、図７を参照しながら説明された復号メトリック補正器を使用して実行され得る。
【０１６１】
[0164]ブロック１４３０において、方法１４００は、第１のコードワードおよび第２のコードワードのための組み合わせられた復号メトリックの１つまたは複数の仮説を決定するために、復号メトリックの各補正された第２のセットを、第１のコードワードのための復号メトリックの第１のセットと組み合わせることを含み得る。いくつかの例では、復号メトリックの第１のセットと復号メトリックの第２のセットとは、ＬＬＲを含み得る。いくつかの例では、ブロック１４２０における（１つまたは複数の）動作は、図６および図７を参照しながら説明された仮説マネージャ、または図７を参照しながら説明された組み合わせられた復号メトリック仮説マネージャを使用して実行され得る。
【０１６２】
[0165]ブロック１４３５において、方法１４００は、たとえば図２〜図５を参照しながら説明されたように、第１のコードワードおよび第２のコードワードのための組み合わせられた復号メトリックの１つまたは複数の仮説における少なくとも１つの仮説の各々に基づいて第１のコードワードを復号することを含み得る。少なくとも１つの仮説は正しい仮説を含み得る。いくつかの例では、ブロック１４３５における（１つまたは複数の）動作は、図６および図７を参照しながら説明されたデコーダを使用して実行され得る。
【０１６３】
[0166]ブロック１４４０において、方法１４００は、たとえば図２〜図５を参照しながら説明されたように、正しい仮説に少なくとも部分的に基づいて第１のコードワードを復号するときに実行されるＣＲＣ検証に少なくとも部分的に基づいて第１のコードワードを決定することを含み得る。いくつかの例では、ブロック１４４０における（１つまたは複数の）動作は、図６および図７を参照しながら説明されたコードワード決定器を使用して実行され得る。
【０１６４】
[0167]ブロック１４４５において、方法１４００は、たとえば図２〜図５を参照しながら説明されたように、第１のＳＳブロックインデックスに少なくとも部分的に基づいて、ＢＣＨ  ＴＴＩ内の第１のＳＳブロックの第１のタイミングを決定することを随意に含み得る。いくつかの例では、ブロック１４４５における（１つまたは複数の）動作は、図７を参照しながら説明されたタイミングマネージャを使用して実行され得る。
【０１６５】
[0168]ブロック１４５０において、方法１４００は、たとえば図２〜図５を参照しながら説明されたように、第１のＳＳブロックインデックスに少なくとも部分的に基づいて、第１のＳＳブロックがその上で送信されるビームを識別することを随意に含み得る。いくつかの例では、ブロック１４５０における（１つまたは複数の）動作は、図７を参照しながら説明されたビーム識別器を使用して実行され得る。
【０１６６】
[0169]図１５は、本開示の様々な態様による、基地局におけるワイヤレス通信のための方法１５００の一例を示すフローチャートである。明快のために、方法１５００は、図１、図３、および図１１を参照しながら説明された基地局のうちの１つまたは複数の態様、図８を参照しながら説明された装置の態様、または図８、図９、および図１１を参照しながら説明された基地局ワイヤレス通信マネージャのうちの１つまたは複数の態様に関して以下で説明される。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【０１６７】
[0170]ブロック１５０５において、方法１５００は、たとえば図２〜図５を参照しながら説明されたように、複数のＳＳブロックのためにリソースを割り振ることを含み得る。いくつかの例では、複数のＳＳブロックのために割り振られたリソースはＢＣＨ  ＴＴＩ内にあり得る。いくつかの例では、複数のＳＳブロックのために割り振られたリソースは異なるＢＣＨ  ＴＴＩ内にあり得る。いくつかの例では、ブロック１５０５における（１つまたは複数の）動作は、図８および図９を参照しながら説明されたリソースアロケータを使用して実行され得る。
【０１６８】
[0171]ブロック１５１０において、方法１５００は、たとえば図２〜図５を参照しながら説明されたように、時間ギャップだけ第２のＳＳブロックバーストから時間的に分離された第１のＳＳブロックバーストの第１のＳＳブロック中で、第１のＰＢＣＨペイロードの線形符号化に少なくとも部分的に基づいて第１のコードワードを送信することを含み得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のＳＳブロックインデックスは、ＢＣＨ  ＴＴＩ内の第１のＳＳブロックの第１のタイミングを識別し得る。いくつかの例では、第１のＳＳブロックインデックスは、第１のＳＳブロックがその上で送信される第１のビームを識別し得る。いくつかの例では、ブロック１５１０における（１つまたは複数の）動作は、図８および図９を参照しながら説明されたコードワード送信機を使用して実行され得る。
【０１６９】
[0172]ブロック１５１５において、方法１５００は、たとえば図２〜図５を参照しながら説明されたように、時間増分を含むブロック間持続時間だけ第１のＳＳブロックから時間的に分離された第２のＳＳブロック中で、第２のＰＢＣＨペイロードの線形符号化に少なくとも部分的に基づいて第２のコードワードを送信することを含み得る。第２のＳＳブロックは第１のＳＳブロックバーストにおいて送信され得、ブロック間持続時間は時間増分に等しい。第２のＳＳブロックは第２のＳＳブロックバーストにおいて送信され得、ブロック間持続時間は時間ギャップを含む。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のＳＳブロックインデックスは、ＢＣＨ  ＴＴＩ内の第２のＳＳブロックの第２のタイミングを識別し得る。いくつかの例では、第２のＳＳブロックインデックスは、第２のＳＳブロックがその上で送信される第２のビームを識別し得る。いくつかの例では、時間増分はＳＳブロックの数を含み得る。いくつかの例では、ブロック１５１５における（１つまたは複数の）動作は、図８および図９を参照しながら説明されたコードワード送信機を使用して実行され得る。
【０１７０】
[0173]第１のコードワードおよび第２のコードワードは各々同じビット数を含み得る。いくつかの例では、方法１５００は、タイミングインジケータの所定のセットから第１のタイミングインジケータおよび第２のタイミングインジケータを選択することを含み得る。いくつかの例では、第１のＰＢＣＨペイロードおよび第２のＰＢＣＨペイロードは各々同じＭＩＢを含み得る。いくつかの例では、第１のＳＳブロックおよび第２のＳＳブロックは各々、ＰＳＳ、ＳＳＳ、またはそれらの組合せを含み得る。
【０１７１】
[0174]図１６は、本開示の様々な態様による、基地局におけるワイヤレス通信のための方法１６００の一例を示すフローチャートである。明快のために、方法１６００は、図１、図３、および図１１を参照しながら説明された基地局のうちの１つまたは複数の態様、図８を参照しながら説明された装置の態様、または図８、図９、および図１１を参照しながら説明された基地局ワイヤレス通信マネージャのうちの１つまたは複数の態様に関して以下で説明される。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【０１７２】
[0175]ブロック１６０５において、方法１６００は、たとえば図２〜図５を参照しながら説明されたように、複数のＳＳブロックのためにリソースを割り振ることを含み得る。いくつかの例では、複数のＳＳブロックのために割り振られたリソースはＢＣＨ  ＴＴＩ内にあり得る。いくつかの例では、複数のＳＳブロックのために割り振られたリソースは異なるＢＣＨ  ＴＴＩ内にあり得る。いくつかの例では、ブロック１６０５における（１つまたは複数の）動作は、図８および図９を参照しながら説明されたリソースアロケータを使用して実行され得る。
【０１７３】
[0176]ブロック１６１０において、方法１６００は、たとえば図２〜図５を参照しながら説明されたように、第１の線形符号化に少なくとも部分的に基づいて第１のＰＢＣＨペイロードを符号化することを含み得る。第１のＰＢＣＨペイロードは、第１のＳＳブロックのための第１のタイミングインジケータを含み得る。いくつかの例では、第１のタイミングインジケータは、第１のＳＳブロックまたは第１のＳＳブロックの一部分のための、第１のＳＳブロックインデックスを含み得る。いくつかの例では、第１のＳＳブロックインデックスは、ＢＣＨ  ＴＴＩ内の第１のＳＳブロックの第１のタイミングを識別し得る。いくつかの例では、第１のＳＳブロックインデックスは、第１のＳＳブロックがその上で送信される第１のビームを識別し得る。いくつかの例では、ブロック１６１０における（１つまたは複数の）動作は、図９を参照しながら説明されたＰＢＣＨペイロードエンコーダを使用して実行され得る。
【０１７４】
[0177]ブロック１６１５において、方法１６００は、たとえば図２〜図５を参照しながら説明されたように、符号化された第１のＰＢＣＨペイロードのための第１のＣＲＣを決定することを含み得る。いくつかの例では、ブロック１６１５における（１つまたは複数の）動作は、図９を参照しながら説明されたＣＲＣ決定器を使用して実行され得る。
【０１７５】
[0178]ブロック１６２０において、方法１６００は、たとえば図２〜図５を参照しながら説明されたように、第２の線形符号化に少なくとも部分的に基づいて、符号化された第１のＰＢＣＨペイロードと第１のＣＲＣとを符号化することによって、第１のコードワードを決定することを含み得る。いくつかの例では、ブロック１６２０における（１つまたは複数の）動作は、図９を参照しながら説明されたコードワード決定器を使用して実行され得る。
【０１７６】
[0179]ブロック１６２５において、方法１６００は、たとえば図２〜図５を参照しながら説明されたように、第１のＳＳブロック中で第１のコードワードを送信することを含み得る。いくつかの例では、ブロック１６２５における（１つまたは複数の）動作は、図８および図９を参照しながら説明されたコードワード送信機を使用して実行され得る。
【０１７７】
[0180]ブロック１６３０において、方法１６００は、たとえば図２〜図５を参照しながら説明されたように、第１の線形符号化に少なくとも部分的に基づいて第２のＰＢＣＨペイロードを符号化することを含み得る。第２のＰＢＣＨペイロードは、第２のＳＳブロックのための第２のタイミングインジケータを含み得る。第２のタイミングインジケータは、第１のタイミングインジケータと時間増分とに少なくとも部分的に基づき得る。いくつかの例では、第２のタイミングインジケータは、第２のＳＳブロックまたは第２のＳＳブロックの一部分のための、第２のＳＳブロックインデックスを含み得る。いくつかの例では、第２のＳＳブロックインデックスは、ＢＣＨ  ＴＴＩ内の第２のＳＳブロックの第２のタイミングを識別し得る。いくつかの例では、第２のＳＳブロックインデックスは、第２のＳＳブロックがその上で送信される第２のビームを識別し得る。いくつかの例では、ブロック１６３０における（１つまたは複数の）動作は、図９を参照しながら説明されたＰＢＣＨペイロードエンコーダを使用して実行され得る。
【０１７８】
[0181]ブロック１６３５において、方法１６００は、たとえば図２〜図５を参照しながら説明されたように、符号化された第２のＰＢＣＨペイロードのための第２のＣＲＣを決定することを含み得る。いくつかの例では、ブロック１６３５における（１つまたは複数の）動作は、図９を参照しながら説明されたＣＲＣ決定器を使用して実行され得る。
【０１７９】
[0182]ブロック１６４０において、方法１６００は、たとえば図２〜図５を参照しながら説明されたように、第２の線形符号化に少なくとも部分的に基づいて、符号化された第２のＰＢＣＨペイロードと第２のＣＲＣとを符号化することによって、第２のコードワードを決定することを含み得る。いくつかの例では、ブロック１６４０における（１つまたは複数の）動作は、図９を参照しながらリソースコードワード決定器を使用して実行され得る。
【０１８０】
[0183]ブロック１６４５において、方法１６００は、たとえば図２〜図５を参照しながら説明されたように、時間増分だけ第１のＳＳブロックから時間的に分離された第２のＳＳブロック中で第２のコードワードを送信することを含み得る。いくつかの例では、時間増分はＳＳブロックの数を含み得る。いくつかの例では、ブロック１６４５における（１つまたは複数の）動作は、図８および図９を参照しながら説明されたコードワード送信機を使用して実行され得る。
【０１８１】
[0184]第１のコードワードおよび第２のコードワードは各々、たとえば図２〜図５を参照しながら説明されたように、同じビット数を含み得る。いくつかの例では、方法１６００は、タイミングインジケータの所定のセットから第１のタイミングインジケータおよび第２のタイミングインジケータを選択することを含み得る。いくつかの例では、第１のＰＢＣＨペイロードおよび第２のＰＢＣＨペイロードは各々同じＭＩＢを含み得る。いくつかの例では、第１のＳＳブロックおよび第２のＳＳブロックは各々、ＰＳＳ、ＳＳＳ、またはそれらの組合せを含み得る。
【０１８２】
[0185]図１２〜図１６を参照しながら説明された方法１２００、１３００、１４００、１５００、および１６００は、ワイヤレス通信を提供し得る。それらの方法は、本開示で説明された技法のうちのいくつかの例示的な実装形態であり、それらの方法の動作は、他の実装形態が可能であるように、並べ替えられる（rearranged）か、同じまたは異なる方法の他の動作と組み合わせられるか、あるいはさもなければ変更され得ることに留意されたい。いくつかの例では、方法１２００、１３００、または１４００の動作が組み合わせられ得る。いくつかの例では、方法１５００および１６００の動作が組み合わせられ得る。いくつかの例では、それらの方法に動作が追加され得る。
【０１８３】
[0186]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、ＣＤＭＡ２０００  １Ｘ、１Ｘなどと呼ばれることがある。ＩＳ−８５６（ＴＩＡ−８５６）は、ＣＤＭＡ２０００  １ｘＥＶ−ＤＯ、高速パケットデータ（ＨＲＰＤ：High Rate Packet Data）などと呼ばれることがある。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ＬＴＥおよびＬＴＥ−Ａは、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、３ＧＰＰと称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、無認可または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１８４】
[0187]添付の図面に関して上記に記載された詳細な説明は、例について説明しており、実装され得るまたは特許請求の範囲内に入る例のすべてを表すとは限らない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０１８５】
[0188]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１８６】
[0189]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１８７】
[0190]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態が、本開示および添付の特許請求の範囲の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する構成要素はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「または」という用語は、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１８８】
[0191]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を含むことができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【０１８９】
[0192]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示される原理および新規の技法に合致する最も広い範囲を与えられるべきである。
【図１】
2020512752.tif 000007
【図２】
2020512752.tif 000008
【図３】
2020512752.tif 000009
【図４】
2020512752.tif 000010
【図５】
2020512752.tif 000011
【図６】
2020512752.tif 000012
【図７】
2020512752.tif 000013
【図８】
2020512752.tif 000014
【図９】
2020512752.tif 000015
【図１０】
2020512752.tif 000016
【図１１】
2020512752.tif 000017
【図１２】
2020512752.tif 000018
【図１３】
2020512752.tif 000019
【図１４】
2020512752.tif 000020
【図１５】
2020512752.tif 000021
【図１６】
2020512752.tif 000022
【国際調査報告】
2020512752.tif 000023
2020512752.tif 000024
2020512752.tif 000025